(57)【要約】【課題】レーザ光によってレーベル面に画像を描画することができる特定の光ディスクの検出や、画像描画をより高品位に行うための情報を得られるようにする。【解決手段】制御部１０２と、装着された光ディスク１０を回転駆動するスピンドルモータ１０４と、光ディスク１０に対してレーザ光Ｌを照射する光ピックアップ１０６と、該光ピックアップ１０６による光ディスク１０に対するレーザ光Ｌの照射位置を調整する照射位置調整手段１０８と、プリピット領域３０にレーザ光Ｌを照射して得られる戻り光信号Ｓｒからプリピット信号Ｓｐを得るプリピット検出手段１１０と、得られたプリピット信号Ｓｐをデコードしてプリピット情報Ｄｐを得るデコーダ１１２と、画像データＤｇに基づく可視画像をプリピット情報Ｄｐに基づいてレーザ光Ｌによって光ディスク１０の画像記録層２４に描画するレーザ光制御手段１１４とを有する。【選択図】図６
2007095273.tif 000002
【特許請求の範囲】
【請求項１】
１以上のプリピットが形成されたプリピット領域を有する光ディスクにレーザ光を照射して得られる戻り光に基づいて信号を処理する信号処理方法であって、
前記光ディスクの前記プリピット領域に前記レーザ光を照射して得られる戻り光の信号に基づいてプリピット信号を得る第１ステップと、
前記プリピット信号をデコードする第２ステップと、
を有することを特徴とする信号処理方法。
【請求項２】
請求項１記載の信号処理方法において、
前記第１ステップは、
前記戻り光の信号を反転して前記プリピット信号を得るステップを有することを特徴とする信号処理方法。
【請求項３】
請求項１記載の信号処理方法において、
前記第１ステップは、
前記戻り光の信号から特定の信号が読み出された場合に、前記戻り光の信号を前記プリピット信号とし、前記戻り光の信号から前記特定の信号が読み出されなかった場合に、前記戻り光の信号を反転して前記プリピット信号とするステップを有することを特徴とする信号処理方法。
【請求項４】
請求項１〜３のいずれか１項に記載の信号処理方法において、
前記第２ステップによって得られた情報のうち、当該光ディスクの種類を示す情報を読み出すステップと、
光ディスクの種類に応じたレーザ光の出力レベルの情報が記録された記憶手段から当該光ディスクの種類に応じたレーザ光の出力レベルの情報を読み出すステップと、
読み出された前記レーザ光の出力レベルの情報に基づいて前記レーザ光を制御するステップと、
を有することを特徴とする信号処理方法。
【請求項５】
請求項４記載の信号処理方法において、
前記レーザ光の出力レベルは、前記光ディスクに対する記録用の出力レベルの目標値と、前記光ディスクのサーボ用の出力レベルの目標値とを有することを特徴とする信号処理方法。
【請求項６】
１以上のプリピットが形成されたプリピット領域を有する光ディスクにレーザ光を照射して得られる戻り光に基づいて信号を処理する信号処理装置であって、
前記光ディスクの前記プリピット領域にレーザ光を照射して得られる戻り光の信号に基づいてプリピット信号を得る第１手段と、
前記プリピット信号をデコードする第２手段と、
を有することを特徴とする信号処理装置。
【請求項７】
請求項６記載の信号処理装置において、
前記第１手段は、
前記戻り光の信号を反転して前記プリピット信号を得る手段を有することを特徴とする信号処理装置。
【請求項８】
請求項６記載の信号処理装置において、
前記第１手段は、
前記戻り光の信号から特定の信号が読み出された場合に、前記戻り光の信号を前記プリピット信号とし、前記戻り光の信号から前記特定の信号が読み出されなかった場合に、前記戻り光の信号を反転して前記プリピット信号とする手段を有することを特徴とする信号処理装置。
【請求項９】
請求項６〜８のいずれか１項に記載の信号処理装置において、
前記第２手段によって得られた情報のうち、当該光ディスクの種類を示す情報を読み出す手段と、
光ディスクの種類に応じたレーザ光の出力レベルの情報が記録された記憶手段から当該光ディスクの種類に応じたレーザ光の出力レベルの情報を読み出す手段と、
読み出された前記レーザ光の出力レベルの情報に基づいて前記レーザ光を制御する手段と、
を有することを特徴とする信号処理装置。
【請求項１０】
請求項９記載の信号処理装置において、
前記レーザ光の出力レベルは、前記光ディスクに対する記録用の出力レベルの目標値と、前記光ディスクのサーボ用の出力レベルの目標値とを有することを特徴とする信号処理装置。
【請求項１１】
レーザ光の照射により可視画像の描画が可能な画像記録層と、１以上のプリピットを有するプリピット領域とを具備した光ディスクの前記画像記録層に画像を描画する画像描画方法であって、
前記光ディスクの前記プリピット領域に前記レーザ光を照射して得られる戻り光の信号に基づいてプリピット信号を得る第１ステップと、
前記プリピット信号をデコードしてプリピット情報を得る第２ステップと、
前記プリピット情報に基づいて前記画像記録層に画像を描画する第３ステップと、
を有することを特徴とする画像描画方法。
【請求項１２】
請求項１１記載の画像描画方法において、
前記１以上のプリピットが前記画像記録層の形成領域の一部に形成され、
前記第１ステップは、
前記戻り光の信号を反転して前記プリピット信号を得るステップを有することを特徴とする画像描画方法。
【請求項１３】
請求項１１記載の画像描画方法において、
前記第１ステップは、
前記戻り光の信号から特定の信号が読み出された場合に、前記戻り光の信号を前記プリピット信号とし、前記戻り光の信号から前記特定の信号が読み出されなかった場合に、前記戻り光の信号を反転して前記プリピット信号とするステップを有することを特徴とする画像描画方法。
【請求項１４】
請求項１１〜１３のいずれか１項に記載の画像描画方法において、
前記第３ステップは、
前記第２ステップによって得られた情報のうち、当該光ディスクの種類を示す情報を読み出すステップと、
光ディスクの種類に応じたレーザ光の出力レベルの情報が記録された記憶手段から当該光ディスクの種類に応じたレーザ光の出力レベルの情報を読み出すステップと、
読み出された前記レーザ光の出力レベルの情報に基づいて前記レーザ光を制御して前記画像記録層に画像を描画するステップと、
を有することを特徴とする画像描画方法。
【請求項１５】
請求項１４記載の画像描画方法において、
前記レーザ光の出力レベルは、前記光ディスクに対する記録用の出力レベルの目標値と、前記光ディスクのサーボ用の出力レベルの目標値とを有することを特徴とする画像描画方法。
【請求項１６】
レーザ光の照射により可視画像の描画が可能な画像記録層と、１以上のプリピットを有するプリピット領域とを具備した光ディスクの前記画像記録層に画像を描画する光ディスク記録装置であって、
前記光ディスクの前記プリピット領域に前記レーザ光を照射して得られる戻り光の信号に基づいてプリピット信号を得る第１手段と、
前記プリピット信号をデコードしてプリピット情報を得る第２手段と、
前記プリピット情報に基づいて前記画像記録層に画像を描画する第３手段と、
を有することを特徴とする光ディスク記録装置。
【請求項１７】
請求項１６記載の光ディスク記録装置において、
前記１以上のプリピットが前記画像記録層の形成領域の一部に形成され、
前記第１手段は、
前記戻り光の信号を反転して前記プリピット信号を得る手段を有することを特徴とする光ディスク記録装置。
【請求項１８】
請求項１６記載の光ディスク記録装置において、
前記第１手段は、
前記戻り光の信号から特定の信号が読み出された場合に、前記戻り光の信号を前記プリピット信号とし、前記戻り光の信号から前記特定の信号が読み出されなかった場合に、前記戻り光の信号を反転して前記プリピット信号とする手段を有することを特徴とする光ディスク記録装置。
【請求項１９】
請求項１６〜１８のいずれか１項に記載の光ディスク記録装置において、
前記第３手段は、
前記第２手段によって得られた情報のうち、当該光ディスクの種類を示す情報を読み出す手段と、
光ディスクの種類に応じたレーザ光の出力レベルの情報が記録された記憶手段から当該光ディスクの種類に応じたレーザ光の出力レベルの情報を読み出す手段と、
読み出された前記レーザ光の出力レベルの情報に基づいて前記レーザ光を制御して前記画像記録層に画像を描画するステップと、
を有することを特徴とする光ディスク記録装置。
【請求項２０】
請求項１９記載の光ディスク記録装置において、
前記レーザ光の出力レベルは、前記光ディスクに対する記録用の出力レベルの目標値と、前記光ディスクのサーボ用の出力レベルの目標値とを有することを特徴とする光ディスク記録装置。
【発明の詳細な説明】
【技術分野】
【０００１】
本発明は、レーザ光により情報の記録再生が可能な光ディスクに使用され得る信号処理方法、信号処理装置、画像描画方法、光ディスク記録装置に関する。
【背景技術】
【０００２】
ＤＶＤ−Ｒ型等の光ディスクについては、そのレーベル面（記録時又は再生時に、レーザ光を照射する側とは反対側の面）に、インク受容層（印刷層）を設けた光ディスクが実用化されている。ユーザは、インクジェットプリンタ等を用いてこの印刷層上に写真や絵を印刷することが可能である。
【０００３】
一方、インクジェットプリントでは、画像を形成するためにインクジェットプリンタ等を新たに用意することため、ユーザにはコスト的に負担となってしまう。また、光ディスクに情報を記録した後、インクジェットプリンタ等に光ディスクを移して画像を形成することは、手間がかかる作業である。さらに、複数の光ディスクに情報を記録して画像を形成する場合、その手間が非常に煩雑に感じられてしまう。
【０００４】
そこで、記録面に対する情報記録（デジタルデータ記録）に加え、光ディスクに対して、高コントラスト比の画像を記録することが可能な画像形成装置及び画像形成方法が提案されている（例えば、特許文献１参照）。しかし、当該画像形成装置及び画像形成方法では、トラッキングをかけずに描画記録を行うため、描画の正確性や安定性に欠けてしまうといった問題がある。これは、描画に関する情報等を光ディスクに搭載しておいて、その情報を記録機が読み込むことで改良することができる。
【０００５】
なお、記録面に対する情報記録に加え、画像を記録できる光ディスクとしては特許文献２〜４に開示のものが知られている。
【０００６】
【特許文献１】特開２００４−００５８４８号公報
【特許文献２】特開２０００−１１３５１６号公報
【特許文献３】特開２００１−２８３４６４号公報
【特許文献４】特開２０００−１７３０９６号公報
【発明の開示】
【発明が解決しようとする課題】
【０００７】
ここで、上記特許文献２〜４には画像を記録できる光ディスクが開示されているが、レーベル面に画像を描画する際には、光ディスク記録装置で光ディスクを認識する必要がある。しかしながら、特許文献２〜４の光ディスクには光ディスク記録装置で認識できる手段は開示されていない。
【０００８】
また、レーベル面に画像を好適に描画する際の情報のやりとりについても引用文献２〜４には何ら記載がない。
【０００９】
本発明はこのような課題を考慮してなされたものであり、レーザ光によってレーベル面に画像を描画することができる特定の光ディスクの検出や、画像描画をより高品位に行うための情報を得ることができる信号処理方法、信号処理装置、画像描画方法及び光ディスク記録装置を提供することを目的とする。
【課題を解決するための手段】
【００１０】
第１の本発明に係る信号処理方法は、１以上のプリピットが形成されたプリピット領域を有する光ディスクにレーザ光を照射して得られる戻り光に基づいて信号を処理する信号処理方法であって、前記光ディスクの前記プリピット領域に前記レーザ光を照射して得られる戻り光の信号に基づいてプリピット信号を得る第１ステップと、前記プリピット信号をデコードする第２ステップとを有することを特徴とする。
【００１１】
これにより、レーザ光によってレーベル面に画像を描画することができる特定の光ディスクの検出や、画像描画をより高品位に行うための情報を得ることができる。
【００１２】
そして、第１の本発明において、前記第１ステップは、前記戻り光の信号を反転して前記プリピット信号を得るステップを有するようにしてもよい。戻り光の信号をそのままデコードしてプリピット情報として使用することができない場合に有効である。
【００１３】
また、第１の本発明において、前記第１ステップは、前記戻り光の信号から特定の信号が読み出された場合に、前記戻り光の信号を前記プリピット信号とし、前記戻り光の信号から前記特定の信号が読み出されなかった場合に、前記戻り光の信号を反転して前記プリピット信号とするステップを有するようにしてもよい。
【００１４】
また、第１の本発明において、前記第２ステップによって得られた情報のうち、当該光ディスクの種類を示す情報を読み出すステップと、光ディスクの種類に応じたレーザ光の出力レベルの情報が記録された記憶手段から当該光ディスクの種類に応じたレーザ光の出力レベルの情報を読み出すステップと、読み出された前記レーザ光の出力レベルの情報に基づいて前記レーザ光を制御するステップとを有するようにしてもよい。
【００１５】
また、第１の本発明において、前記レーザ光の出力レベルは、前記光ディスクに対する記録用の出力レベルの目標値と、前記光ディスクのサーボ用の出力レベルの目標値とを有するようにしてもよい。この場合、光ディスクの種類に応じた記録用の出力レベル、サーボ用の出力レベルに設定することができ、光ディスクの種類に応じて最適な出力レベルで光ディスクにデータを記録することが可能となる。
【００１６】
次に、第２の本発明に係る信号処理装置は、１以上のプリピットが形成されたプリピット領域を有する光ディスクにレーザ光を照射して得られる戻り光に基づいて信号を処理する信号処理装置であって、前記光ディスクの前記プリピット領域にレーザ光を照射して得られる戻り光の信号に基づいてプリピット信号を得る第１手段と、前記プリピット信号をデコードする第２手段とを有することを特徴とする。
【００１７】
これにより、レーザ光によってレーベル面に画像を描画することができる特定の光ディスクの検出や、画像描画をより高品位に行うための情報を得ることができる。
【００１８】
そして、第２の本発明において、前記第１手段は、前記戻り光の信号を反転して前記プリピット信号を得る手段を有するようにしてもよい。
【００１９】
また、第２の本発明において、前記第１手段は、前記戻り光の信号から特定の信号が読み出された場合に、前記戻り光の信号を前記プリピット信号とし、前記戻り光の信号から前記特定の信号が読み出されなかった場合に、前記戻り光の信号を反転して前記プリピット信号とする手段を有するようにしてもよい。
【００２０】
また、第２の本発明において、前記第２手段によって得られた情報のうち、当該光ディスクの種類を示す情報を読み出す手段と、光ディスクの種類に応じたレーザ光の出力レベルの情報が記録された記憶手段から当該光ディスクの種類に応じたレーザ光の出力レベルの情報を読み出す手段と、読み出された前記レーザ光の出力レベルの情報に基づいて前記レーザ光を制御する手段とを有するようにしてもよい。
【００２１】
また、第２の本発明において、前記レーザ光の出力レベルは、前記光ディスクに対する記録用の出力レベルの目標値と、前記光ディスクのサーボ用の出力レベルの目標値とを有するようにしてもよい。
【００２２】
次に、第３の本発明に係る画像描画方法は、レーザ光の照射により可視画像の描画が可能な画像記録層と、１以上のプリピットを有するプリピット領域とを具備した光ディスクの前記画像記録層に画像を描画する画像描画方法であって、前記光ディスクの前記プリピット領域に前記レーザ光を照射して得られる戻り光の信号に基づいてプリピット信号を得る第１ステップと、前記プリピット信号をデコードしてプリピット情報を得る第２ステップと、前記プリピット情報に基づいて前記画像記録層に画像を描画する第３ステップとを有することを特徴とする。
【００２３】
プリピットに光ディスクに関する製品情報や描画に関する情報を含めることで、光ディスクの種類に応じた信号処理を行うことができ、例えば光ディスクに可視画像を記録することができる画像記録層が形成されている場合は、可視画像ができることを示す情報をプリピットに含めておくことで、予め編集等しておいた画像データを画像記録層に記録することができ、しかも、可視画像の記録において、プリピットから検出した当該光ディスクに最適な描画に関する情報に基づいて可視画像を記録することが可能となる。
【００２４】
なお、プリピットの平均深さを１００〜４００ｎｍとすることで、戻り光の信号の信号振幅が大きくなり、第１ステップにおいて、プリピット信号の読み取り精度を高くすることができる。
【００２５】
そして、第３の本発明において、前記１以上のプリピットが前記画像記録層の形成領域の一部に形成され、前記第１ステップは、前記戻り光の信号を反転して前記プリピット信号を得るステップを有するようにしてもよい。このステップは以下の事項に基づいて含められるものである。
【００２６】
すなわち、１以上のプリピットが前記画像記録層の形成領域の一部に形成される場合、戻り光の信号の読み出しにおいて問題が生じることがある。具体的には、プリピット領域の上層に画像記録層が存在する場合と、存在しない場合において以下のような差異がある。
【００２７】
プリピット領域の上層に画像記録層が存在しない場合、つまり、これは、例えば画像記録層を有しない通常の光ディスクに形成されたプリピットの情報を読み取る場合等が該当するが、このような場合、プリピット部位の反射率がプリピット間の反射率よりも低い。従って、プリピットに関する信号処理では、通常のデコーダを使用することができ、上述の反射率の差に基づいてプリピット信号を生成し、生成されたプリピット信号をイコライズ、デコードすることによってプリピット情報を得ることができる。なお、イコライズは、戻り光の信号に対して行うようにしてもよい。
【００２８】
しかし、プリピット領域の上層に画像記録層が存在する場合は、プリピット部位の反射率がプリピット間の反射率よりも高いことから、上述の信号処理では正しいプリピット情報を得ることができない。
【００２９】
そこで、このステップでは、戻り光の信号を反転してプリピット信号を得るようにしている。これにより、後段の通常のデコーダにて正しいプリピット情報を得ることができる。これにより、光ディスクの画像記録層への可視画像の描画をより高品位に行うことができる。
【００３０】
また、第３の本発明において、前記第１ステップは、前記戻り光の信号から特定の信号が読み出された場合に、前記戻り光の信号を前記プリピット信号とし、前記戻り光の信号から前記特定の信号が読み出されなかった場合に、前記戻り光の信号を反転して前記プリピット信号とするステップを有するようにしてもよい。
【００３１】
また、第３の本発明において、前記第３ステップは、前記第２ステップによって得られた情報のうち、当該光ディスクの種類を示す情報を読み出すステップと、光ディスクの種類に応じたレーザ光の出力レベルの情報が記録された記憶手段から当該光ディスクの種類に応じたレーザ光の出力レベルの情報を読み出すステップと、読み出された前記レーザ光の出力レベルの情報に基づいて前記レーザ光を制御して前記画像記録層に画像を描画するステップとを有するようにしてもよい。
【００３２】
また、第３の本発明において、前記レーザ光の出力レベルは、前記光ディスクに対する記録用の出力レベルの目標値と、前記光ディスクのサーボ用の出力レベルの目標値とを有するようにしてもよい。
【００３３】
次に、第４の本発明に係る光ディスク記録装置は、レーザ光の照射により可視画像の描画が可能な画像記録層と、１以上のプリピットを有するプリピット領域とを具備した光ディスクの前記画像記録層に画像を描画する光ディスク記録装置であって、前記光ディスクの前記プリピット領域に前記レーザ光を照射して得られる戻り光の信号に基づいてプリピット信号を得る第１手段と、前記プリピット信号をデコードしてプリピット情報を得る第２手段と、前記プリピット情報に基づいて前記画像記録層に画像を描画する第３手段とを有することを特徴とする。
【００３４】
これにより、レーザ光によってレーベル面に画像を描画することができる特定の光ディスクの検出や、画像描画をより高品位に行うための情報を得ることができる。
【００３５】
そして、第４の本発明において、前記１以上のプリピットが前記画像記録層の形成領域の一部に形成され、前記第１手段は、前記戻り光の信号を反転して前記プリピット信号を得る手段を有するようにしてもよい。
【００３６】
また、第４の本発明において、前記第１手段は、前記戻り光の信号から特定の信号が読み出された場合に、前記戻り光の信号を前記プリピット信号とし、前記戻り光の信号から前記特定の信号が読み出されなかった場合に、前記戻り光の信号を反転して前記プリピット信号とする手段を有するようにしてもよい。
【００３７】
また、第４の本発明において、前記第３手段は、前記第２手段によって得られた情報のうち、当該光ディスクの種類を示す情報を読み出す手段と、光ディスクの種類に応じたレーザ光の出力レベルの情報が記録された記憶手段から当該光ディスクの種類に応じたレーザ光の出力レベルの情報を読み出す手段と、読み出された前記レーザ光の出力レベルの情報に基づいて前記レーザ光を制御して前記画像記録層に画像を描画するステップとを有するようにしてもよい。
【００３８】
また、第４の本発明において、前記レーザ光の出力レベルは、前記光ディスクに対する記録用の出力レベルの目標値と、前記光ディスクのサーボ用の出力レベルの目標値とを有するようにしてもよい。
【００３９】
特に、本発明においては、以下に示す光ディスク（光記録媒体）に用いて有効である。すなわち、光ディスクは、基板と、前記基板上に形成されレーザ光の照射により可視画像の描画が可能な画像記録層とを有する光ディスクであって、前記基板の前記画像記録層側の表面に、プリピットが形成されていることを特徴とする。
【００４０】
この光ディスクによれば、プリピットに当該光ディスクに関する製品情報や描画に関する情報を含めることで、例えば光ディスク記録装置等において、光ディスクの属性（例えば可視情報が記録できる光ディスクであるかどうか等）を認識することができる。
【００４１】
上述の光ディスクとしては、後述する第１〜第１１の態様のうち少なくとも１つの態様を適用することが好ましい。なお、プリピットが後述する特定の形状であることで、検出信号の信号振幅が大きくなり、信号の読み取り精度を高くすることができる。また、プリピットに描画に関する情報が含まれていれば、該情報を使用して可視画像を記録することで、高い描画特性（良好な視認性、高精細度、高コントラスト等）を発揮させることができる。
【００４２】
（１）第１の態様は、プリピットの平均深さｈｐが１００〜４００ｎｍである態様である。この光ディスクでは、プリピットの平均深さｈｐが１００〜４００ｎｍを満たすことから、光ディスクからの戻り光を十分に確保でき、信号検出を容易にすることができる。
【００４３】
（２）第２の態様は、前記プリピットが、前記画像記録層が形成されている領域よりも内周側に形成されている態様である。
【００４４】
（３）第３の態様は、前記プリピットが形成されている領域上に前記画像記録層の少なくとも一部が形成されている態様である。
【００４５】
（４）第４の態様は、前記プリピットの平均半値幅Ｗが２００〜５００ｎｍである態様である。平均半値幅Ｗが２００〜５００ｎｍであることで、光ディスクからの戻り光をさらに十分に確保できる。しかも、トラック間方向のクロストークが小さくなり、十分な信号振幅を得ることができる。
【００４６】
（５）第５の態様は、前記プリピットの凸部上の前記画像記録層の平均厚みｈ１と、前記プリピットの凹部上の前記画像記録層の平均厚みｈ２との比（ｈ１／ｈ２）が、０．１〜０．９であり、前記プリピットの凹部上の前記画像記録層の窪みの深さ（ｈｐ＋ｈ１−ｈ２）が７０〜２５０ｎｍであるである態様である。「ｈ１／ｈ２」及び「ｈｐ＋ｈ１−ｈ２」が上述の範囲にあることで、光ディスクからの戻り光を十分に確保することができる。しかも、画像記録層の反射層が形成される面が、レーザ光を読み取るのに適度な凹凸を有し、良好な再生信号を得ることができる。
【００４７】
（６）第６の態様は、前記画像記録層に沿って反射層が形成されており、前記画像記録層の窪みの深さ（ｈｐ＋ｈ１−ｈ２）が１００〜２００ｎｍである態様である。この場合も、光ディスクからの戻り光を十分に確保でき、しかも、良好な再生信号を得ることができる。
【００４８】
（７）第７の態様は、前記画像記録層が色素化合物を含有する態様である。これにより、いわゆる色素型の光ディスクとすることができる。色素型の光ディスクは、明瞭なピットが得られるため、十分なコントラスト及び視認性を得ることができる。
【００４９】
（８）第８の態様は、前記画像記録層が前記色素化合物を含有する塗布液を用いてスピンコートにより形成されている態様である。スピンコートにより形成することで、簡便に基板上に画像記録層を形成することが可能となり、生産性の高い光ディスクとすることができる。
【００５０】
（９）第９の態様は、前記基板の厚さが０．５〜１．１ｍｍである態様である。０．５〜１．１ｍｍであることで、画像記録層に対して、例えばＤＶＤ−Ｒ及びＤＶＤ＋ＲのドライブやＤＶＤレコーダに搭載されているレーザ光源からのレーザ光での描画が可能になる。
【００５１】
（１０）第１０の態様は、前記画像記録層が、レーザ光が略同一の軌跡に複数回照射されて可視情報が記録される層であり、前記プリピットにレーザ光を照射した後の戻り光を検出して可視情報の記録が行われる態様である。これにより、可視画像の描画が可能な光ディスクであることをドライブやレコーダが認識させることができる。また、複数回照射することで、描画画像のコントラストを向上させることができ、視認性も良好にすることができる。
【００５２】
（１１）第１１の態様は、前記画像記録層が、レーザ光が光ディスクの半径方向に遥動し且つ略同一の軌跡に複数回照射されて可視情報が記録される層であり、前記プリピットにレーザ光を照射した後の戻り光を検出して可視情報の記録が行われる態様である。これにより、第１０の態様と同様に、描画画像のコントラストを向上させることができ、視認性も良好にすることができる。
【００５３】
なお、上述の光ディスクは、ディスク状のものに限定されず、カード状の光情報記録媒体でもよい。
【００５４】
ところで、本発明に好適な光ディスクは、上述したようにレーザ光を略同一の軌跡に複数回照射されるシステム又はレーザ光が光ディスクの半径方向に遥動し且つ略同一の軌跡に複数回照射されるシステムに使用されることが好ましい。本発明に好適な光ディスクは、このようなシステムに使用された場合でも、システムにおいて十分に光ディスクの情報を認識することができ、可視画像の記録を円滑に進行させることができ、しかも、最適なレーザ光の出力にて描画することができる。
【００５５】
また、上述した特定のプリピットを有する光ディスクは、ＣＤ用途（レーザ波長７００ｎｍ〜８００ｎｍ）、ＤＶＤ用途（レーザ波長６００ｎｍ〜７００ｎｍ）、ＨＤ  ＤＶＤやブルーレイ用途（レーザ波長３８０ｎｍ〜４５０ｎｍ）の光ディスク装置のいずれにも使用できる。これらの光ディスク装置においては、上述のように光ディスクが特定のプリピットを有することから、光ディスクの信号検出を円滑に行うことができる。上述した各種用途の中でも、特定のプリピットを有する光ディスクは、ＤＶＤ用途の光ディスク装置に使用されることが好ましい。特定のプリピットの場合には、レーザ波長が６００ｎｍ〜７００ｎｍであっても十分に信号を検出することができることから、可視画像の記録を円滑に行うことができる。
【発明の効果】
【００５６】
以上説明したように、本発明に係る信号処理方法、信号処理装置、画像描画方法及び光ディスク記録装置によれば、レーザ光によってレーベル面に画像を描画することができる特定の光ディスクの検出や、画像描画をより高品位に行うための情報を得ることができる。
【発明を実施するための最良の形態】
【００５７】
以下、本発明に係る信号処理方法、信号処理装置、画像描画方法及び光ディスク記録装置の実施の形態例（以下、実施の形態に係る光ディスク記録装置と記す）を図１〜図３８を参照しながら説明する。
【００５８】
先ず、本実施の形態に係る光ディスク記録装置に適用される光ディスク１０について図１〜図３を参照しながら説明する。
【００５９】
光ディスク１０は、図１に示すように、第１積層体１２と第２積層体１４とを有する。第１積層体１２は、透明性の第１基板１６と、該第１基板１６上に形成された情報記録層１８と、該情報記録層１８上に形成された第１反射層２０とを有する。第２積層体１４は、透明性の第２基板２２と、該第２基板２２上に形成された画像記録層２４と、該画像記録層２４上に形成された第２反射層２６とを有する。そして、第１積層体１２及び第２積層体１４が、第１反射層２０と第２反射層２６とが対向するように、接着層２８を介して貼り合わされている。
【００６０】
情報記録層１８は、例えば第１基板１６側から照射されたレーザ光によってデータ（ピット情報）の記録及び／又は再生が可能となっている。
【００６１】
画像記録層２４は、例えば第２基板２２側から照射されたレーザ光によって可視画像が記録できるようになっている。
【００６２】
さらに、この光ディスク１０は、第２基板２２の表面（画像記録層２４が形成される側の表面）の一部にプリピット領域３０が割り当てられ、該プリピット領域３０に１以上のプリピット３２、好ましくは複数のプリピット３２が形成されている。
【００６３】
プリピット３２の組み合わせにて示される情報としては、光ディスク１０に関する各種情報が考えられ、例えば、当該光ディスク１０が画像記録層２４を有する光ディスクであるかどうかの識別情報や、画像記録層２４に可視画像を描画する際のレーザ光の出力に関する情報やスポット径に関する情報、描画すべき可視画像の階調に関する情報等である。従って、プリピット３２を検出することによって、当該光ディスク１０が画像記録層２４を有する光ディスク１０であるかを容易に検出することができ、また、画像記録層２４に可視画像を描画する際に、最適なレーザ出力にて描画することができ、しかも、可視画像を高い描画特性をもって記録することができる。なお、プリピット３２の組み合わせにて示される情報としては、その他に製造者情報等が挙げられる。
【００６４】
第２基板２２の表面中、プリピット領域３０の割り当て位置としては、特に制限されない。例えば図３の第１の変形例に係る光ディスク１０ａに示すように、プリピット領域３０を、画像記録層２４が形成されている領域（画像記録層形成領域３４）よりも内周側にあってもよい。プリピット領域３０が内周側にあることで、プリピット３２が色素化合物で埋まらないため、プリピット３２からの戻り光を検出しやすいという利点がある。ただ、プリピット領域３０に画像記録層２４を形成しないようにするためには、プリピット領域３０の最外周と画像記録層形成領域３４の最内周との間に、ある程度のマージンが必要となる。
【００６５】
もちろん、画像記録層形成領域３４をできるだけ広く確保するという観点から、図１に示すように、プリピット領域３０と画像記録層形成領域３４とが一部重なっていてもよい。すなわち、プリピット３２上に画像記録層２４の少なくとも一部が形成されていてもよい。この場合には、画像記録層２４の形成位置を比較的自由に設定できることから、製造工程における歩留まりが向上する。
【００６６】
図１や図３に示すように、プリピット領域３０を第２基板２２の内周側に設ける場合は、第２基板２２の中心より半径２１〜２４ｍｍの範囲に設けることが好ましい。
【００６７】
図２に示すように、プリピット３２の平均深さｈｐは１００〜４００ｎｍとする。１００〜４００ｎｍとすることで、プリピット３２からの戻り光を電気信号に変換した後の信号（戻り光信号と記す）の信号振幅が大きくなり、戻り光信号の読み取り精度を高くすることができる。
【００６８】
ここで、プリピット３２の平均深さｈｐについてより詳しく説明すると、プリピット領域３０が画像記録層形成領域３４よりも内周側にある場合には、プリピットの平均深さｈｐは１００〜２５０ｎｍであることが好ましく、１００〜１７０ｎｍであることがさらに好ましい。なお、この場合には、後述するようにプリピット領域３０上に画像記録層２４が形成されている場合に比較して信号特性が優れていることから、プリピット３２の形状設計の自由度を向上させることができる。
【００６９】
一方、プリピット３２上に画像記録層２４の少なくとも一部が形成されている場合には、プリピット３２の平均深さｈｐは１５０〜４００ｎｍであることが好ましく、１５０〜３５０ｎｍであることがより好ましく、２００〜３３０ｎｍであることがさらに好ましく、２３０〜３３０ｎｍであることがよりさらに好ましく、２３０〜３００ｎｍであることが特に好ましい。プリピット３２上に画像記録層２４が形成されている場合には、レーザの戻り光が色素の影響を受けるため、上記の範囲が信号の読み取り精度を高くするという観点からは好ましい。
【００７０】
プリピット３２の半径方向の平均半値幅Ｗは２００〜５００ｎｍであることが好ましく、２５０〜４５０ｎｍであることがより好ましく、３９０〜４４０ｎｍであることがさらに好ましい。２００〜５００ｎｍとすることで、戻り光信号に重畳されるトラック間方向のクロストークが小さく、検出するに十分な信号振幅を得ることができる。なお、プリピット３２の周方向の長さ（半値幅）は、記録する情報によるため、適宜設定される。
【００７１】
また、プリピット３２の凸部３２Ａ上の画像記録層２４の平均厚みｈ１と、プリピット３２の凹部３２Ｂ上の画像記録層２４の平均厚みｈ２との比（ｈ１／ｈ２）は、０．１〜０．９であり、プリピット３２の凹部３２Ｂ上の画像記録層２４の窪みの深さ（ｈｐ＋ｈ１−ｈ２）が７０〜２５０ｎｍであることが好ましい。
【００７２】
「ｈ１／ｈ２」及び「ｈｐ＋ｈ１−ｈ２」が上記範囲にあることで、画像記録層２４の第２反射層２６が形成される面が、レーザ光を読み取るのに適度な凹凸を有することになり、良好な再生信号を得ることができる。「ｈ１／ｈ２」のより好ましい範囲は、０．２〜０．８である。「ｈｐ＋ｈ１−ｈ２」は、より好ましくは１００〜２００ｎｍであり、さらに好ましくは１２０〜１８０ｎｍであり、特に好ましくは１３０〜１７０ｎｍである。
【００７３】
また、図２に示すように、画像記録層２４に沿って第２反射層２６が形成されていることが好ましく、プリピット３２の凸部３２Ａ上の第２反射層２６の平均厚みｔ１と、プリピット３２の凹部３２Ｂ上の第２反射層２６の平均厚みｔ２との比（ｔ１／ｔ２）は、０．８〜１．２であることが好ましく、０．９〜１．１であることがより好ましい。
【００７４】
なお、上記ｈｐ、ｈ１及びｈ２等は、ＡＦＭや透過スペクトル又はエリプソメータから求めることができる。また、他の方法として、完成した光ディスク１０の断面をＳＥＭ等により観察することで求めることができる。
【００７５】
なお、プリピットの形状の測定には、ＡＦＭ装置ＳＰＩ３８００Ｎ／ＳＰＡ５００（セイコーインスツル株式会社製）及び探針ＮＣＨ−１０Ｖ（日本ビーコ株式会社製）を用いることができる。
【００７６】
上記のようなプリピット３２を有する第２基板２２は、以下に示すスタンパを使用して製造することができる。スタンパは、上述したプリピット３２を形成するための凹凸が設けられている。当該凹凸のうちの凸部の平均高さは１５０〜４００ｎｍであることが好ましい。スタンパを使用することで、上述した光ディスクを効率よく製造することができる。
【００７７】
スタンパを作製する工程としては、通常のＣＤ−ＲＯＭを製造するためのスタンパを作製するのとほぼ同様の工程を採用することができる。具体的には、ガラス原盤上にフォトレジストを成膜し、現像等を行い、ニッケル等の金属をスパッタし、電鋳処理することでスタンパを作製することができる。
【００７８】
上述した光ディスクの構成としては、レーザ光の照射により可視画像の描画が可能な画像記録層２４と、１以上のプリピット３２を有するプリピット領域３０とを具備した構成であれば特に限定されない。すなわち、読出し専用型、追記型、書換え可能型等のいずれとすることもできる。なかでも、追記型であることが好ましい。また、記録形式としては、相変化型、光磁気型、色素型等、特に制限されない。なかでも、色素型であることが好ましい。
【００７９】
特に、図１に示す光ディスク１０は、第１基板１６上に情報記録層１８を有し、第２基板２２上に画像記録層２４を有し、これらが貼り合わされた構成であることから、例えばＤＶＤ（ＤＶＤの他、ＤＶＤ−ＲやＤＶＤ−ＲＷ、ＨＤ  ＤＶＤ等を含む）の構成に適用することが好ましい。
【００８０】
光ディスク１０の層構成としては、図１に示す層構成のほか、例えば、以下の構成が挙げられる。
【００８１】
（１）第１の層構成は、図示しないが、第１基板１６上に、情報記録層１８、第１反射層２０、接着層２８を順次形成し、接着層２８上に、画像記録層２４を有する第２基板２２を貼り合わせる構成である。
【００８２】
（２）第２の層構成は、図示しないが、第１基板１６上に、情報記録層１８、第１反射層２０、保護層、接着層２８を順次形成し、接着層２８上に、画像記録層２４を有する第２基板２２を貼り合わせる構成である。
【００８３】
（３）第３の層構成は、図示しないが、第１基板１６上に、情報記録層１８、第１反射層２０、第１保護層、接着層２８、第２保護層を順次形成し、該第２保護層上に、画像記録層２４を有する第２基板２２が形成されている構成である。
【００８４】
（４）第４の層構成は、図示しないが、第１基板１６上に、情報記録層１８、第１反射層２０、第１保護層、接着層２８、第２保護層、第３保護層を順次形成し、該第３保護層上に、画像記録層２４を有する第２基板２２が形成されている構成である。
【００８５】
（５）第５の層構成は、第１基板１６上に、情報記録層１８、第１反射層２０、接着層２８、第２反射層２６を順次形成し、該第２反射層２６上に、画像記録層２４を有する第２基板２２が形成されている構成である。この層構成は図１とほぼ同じになる。
【００８６】
（６）第６の層構成は、図示しないが、第１基板１６上に、情報記録層１８、第１反射層２０、第１保護層を順次形成し、一方、第２基板２２上に画像記録層２４、第２反射層２６、第２保護層を順次形成し、接着層２８を介して第１保護層及び第２保護層を貼り合わせる構成である。
【００８７】
なお、図１に示す層構成、並びに上記（１）〜（６）の層構成は単なる例示であり、これらの層構成は上述の順番のみでなく、一部を入れ替えてもよい。また、一部（画像記録層２４を除く）を省略してもかまわない。さらに、各層は１層で構成されても複数層で構成されてもよい。
【００８８】
以下、図１に記載の層構成を例に、光ディスク１０の各層とその形成方法について説明する。
【００８９】
（情報記録層１８）
情報記録層１８は、記録及び再生に使用されるレーザ光により情報の記録及び再生が行われる層である。特に、デジタル情報等の符号情報（コード化情報）が記録される。情報記録層１８としては、色素記録層でも相変化型記録層でもよいが、色素記録層が好ましい。
【００９０】
色素記録層（情報記録層１８）に含有される色素の具体例としては、シアニン色素、オキソノール色素、アゾ色素、フタロシアニン色素、トリアゾール化合物（ベンゾトリアゾール化合物を含む）、トリアジン化合物、メロシアニン化合物、アミノブタジエン化合物、桂皮酸化合物、ベンゾオキサゾール化合物、ピロメテン化合物、スクアリリウム化合物等が挙げられる。なお、これらは配位中心に金属原子を持っていてもよい。
【００９１】
また、特開平４−７４６９０号公報、同８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素を用いることも可能である。
【００９２】
上記化合物の中では、光ディスク１０が「ＣＤ−Ｒ」の場合、シアニン色素、アゾ色素、フタロシアニン色素が好ましく、「ＤＶＤーＲ」の場合、シアニン色素、オキソノール色素、アゾ色素（Ｎｉ、Ｃｏ錯体を含む）、ピロメテン化合物が好ましく、「ブルーレイディスク及びＨＤ  ＤＶＤ」の場合、シアニン色素、オキソノール色素、アゾ色素、フタロシアニン色素、ベンゾトリアゾール化合物、トリアジン化合物が好ましい。
【００９３】
また、「ＣＤ−Ｒ」の場合、シアニン色素、アゾ色素、フタロシアニン色素がさらに好ましく、「ＤＶＤ−Ｒ」の場合、シアニン色素、オキソノール色素、アゾ色素（Ｎｉ、Ｃｏ錯体を含む）がさらに好ましく、「ブルーレイディスク及びＨＤ  ＤＶＤ」の場合、シアニン色素、オキソノール色素、アゾ色素、フタロシアニン色素がさらに好ましい。
【００９４】
情報記録層１８は、色素等の記録物質を、結合剤等と共に適当な溶剤に溶解して塗布液を調製する。次いでこの塗布液を基板上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００９５】
情報記録層１８の形成は、蒸着、スパッタリング、ＣＶＤ、又は溶剤塗布等の方法によって行うことができるが、溶剤塗布が好ましい。
【００９６】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；ジブチルエーテル、ジエチルエーテル、テトラヒドロフラン、ジオキサン等のエーテル；エタノール、ｎ−プロパノール、イソプロパノール、ｎ−ブタノール、ジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類等を挙げることができる。
【００９７】
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤等、各種の添加剤を目的に応じて添加してもよい。
【００９８】
結合剤を使用する場合、該結合剤の例としては、ゼラチン、セルロース誘導体、デキストラン、ロジン、ゴム等の天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子を挙げることができる。
【００９９】
情報記録層１８の材料として結合剤を併用する場合、結合剤の使用量は、一般に色素の質量の０．０１倍量〜５０倍量の範囲にあり、好ましくは０．１倍量〜５倍量の範囲にある。
【０１００】
前記溶剤塗布の塗布方法としては、スプレー法、スピンコート法、ディップ法、ロールコート法、ブレードコート法、ドクターロール法、スクリーン印刷法等を挙げることができる。情報記録層１８は単層でも重層でもよい。情報記録層１８の層厚は一般に１０〜５００ｎｍの範囲にあり、好ましくは１５〜３００ｎｍの範囲にあり、より好ましくは２０〜１５０ｎｍの範囲にある。
【０１０１】
情報記録層１８には、該情報記録層１８の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許第３５０３９９号明細書、そして日本化学会誌１９９２年１０月号第１１４１頁等に記載のものを挙げることができる。
【０１０２】
前記一重項酸素クエンチャー等の褪色防止剤の使用量は、通常、色素の質量の０．１〜５０質量％の範囲であり、好ましくは、０．５〜４５質量％の範囲、さらに好ましくは、３〜４０質量％の範囲、特に好ましくは５〜２５質量％の範囲である。
【０１０３】
相変化型の情報記録層１８を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。相変化型の情報記録層１８の層厚としては、１０〜５０ｎｍとすることが好ましく、１５〜３０ｎｍとすることがより好ましい。
【０１０４】
以上の相変化型の情報記録層１８は、スパッタ法、真空蒸着法等の気相薄膜堆積法等によって形成することができる。
【０１０５】
（第１基板１６、第２基板２２）
光ディスク１０の第１基板１６及び第２基板２２は、従来の光ディスクの基板として用いられている各種の材料から任意に選択することができる。なお、ここでは、第２基板２２のうち、画像記録層２４が形成される面にプリピット３２が形成されている。
【０１０６】
第１基板１６及び第２基板２２の材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステル等を挙げることができ、所望によりそれらを併用してもよい。なお、これらの材料はフィルム状として又は剛性のある基板として使うことができる。上記材料の中では、耐湿性、寸法安定性及び価格等の点からポリカーボネートが好ましい。
【０１０７】
第２基板２２は、上述したスタンパを用いて画像記録層２４が形成される側にプリピット３２を有する基板を作製する工程を経て製造される。プリピット３２の深さに相当する凸部３２Ａの高さは、フォトレジストの膜厚を調整することで制御することができる。
【０１０８】
第１基板１６及び第２基板２２の厚さは、０．１〜１．２ｍｍとすることが好ましく、０．２〜１．１ｍｍとすることがより好ましく、０．５〜１．１ｍｍであることがさらに好ましい。０．５〜１．１ｍｍであることで、例えばＤＶＤ−Ｒ及びＤＶＤ＋ＲのドライブやＤＶＤレコーダに搭載されているレーザ光での描画が可能になる。また、第１基板１６には基本的にグルーブもしくはトラッキング用のサーボ信号が形成されていることが好ましく、第２基板２２にはそのような溝もしくはトラッキング用のサーボ信号が形成された基板を用いてもよい。第１基板１６のグルーブのトラックピッチは、２８０〜９００ｎｍの範囲にとすることが好ましく、３００〜８００ｎｍの範囲とすることがより好ましい。また、グルーブの深さ（溝深さ）は、１５〜２００ｎｍの範囲とすることが好ましく、２５〜１８０ｎｍの範囲とすることがより好ましい。
【０１０９】
画像記録層２４に高精彩な可視画像を記録するには、第２基板２２にもトラッキング用のグルーブ（溝）を設けてもよい。この場合、グルーブのトラックピッチは、記録用のレーザ光の強度分布の観点から、０．３〜２００μｍの範囲にとすることが好ましく、０．６〜１００μｍの範囲とすることがより好ましく、０．７〜５０μｍとすることがさらに好ましい。
【０１１０】
また、画像記録時にトラッキングをかけて、且つ、レーザ光を入射する側の基板厚さが０．６ｍｍの場合において、溝の深さは、５０〜２５０ｎｍとすることが好ましく、８０〜２００ｎｍとすることがより好ましく、１００〜１８０ｎｍとすることがさらに好ましい。溝の幅は、１００〜６００ｎｍとすることが好ましく、２００〜５００ｎｍとすることがより好ましく、２５０〜４５０ｎｍとすることがさらに好ましい。なお、溝形状は、レーザ光の波長、ＮＡ、基板厚等でその最適範囲が異なることがある。
【０１１１】
第１基板１６の表面（グルーブが形成された面（ＲＯＭの場合はピットが形成された面）側）には、平面性の改善、接着力の向上、及び情報記録層の変質防止の目的で、下塗層が設けられてもよい。
【０１１２】
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤等の表面改質剤等を挙げることができる。下塗層は、上記物質を適当な溶剤に溶解又は分散して塗布液を調製した後、この塗布液をスピンコート、ディップコート、エクストルージョンコート等の塗布法により基板表面に塗布することにより形成することができる。
【０１１３】
下塗層の層厚は一般に０．００５〜２０μｍの範囲にあり、好ましくは０．０１〜１０μｍの範囲である。
【０１１４】
一方、画像記録層２４に描画された可視画像において、鏡面反射光による周囲の映りこみを防止するには、第２基板２２に粗面化処理を施すことが好ましい。
【０１１５】
第２基板２２への粗面化処理方法としては、種々の方法があり特に限定はされないが、下記のような第１粗面化処理〜第５粗面化処理のいずれかを適用することが好ましい。
【０１１６】
（１）第１粗面化処理は、第２基板２２が接触する一方の面に、粗面化処理が施されたスタンパを用いて、第２基板２２の画像記録層２４が形成される側の面を粗面化するものである。具体的には、先ず、第２基板２２を作製する際に使用するスタンパに粗面化処理を施す。当該粗面化処理の方法としては、例えば、サンドブラストといったブラスト処理等を行い、所望の粗さとしておく。また、第５粗面化処理で説明するような化学処理を施してもよい。そして、このスタンパを粗面化面が第２基板２２の樹脂材料に接触するように、金型に設置し、公知の方法により成型することで、一方の面のみが粗面化された第２基板２２が作製される。なお、上記「所望の粗さ」としては、例えば、当該粗面化された面の１０点平均粗さ（Ｒｚ）が０．３〜５μｍであって、且つ、粗さ曲線要素の平均長さ（ＲＳｍ）が、１０〜５００μｍとすることが好ましい。
【０１１７】
（２）第２の粗面化処理は、成型後に第２基板２２が接触する一方の面に粗面化処理が施された成型金型を用いて、第２基板２２の画像記録層２４が形成される側の面を粗面化するものである。具体的には、第２基板２２の成型用金型で、その一方の主面に粗面化処理を施す。当該粗面化処理の方法としては、上記第１粗面化処理の場合と同様であり、当該金型を用い、公知の方法により成型することで、一方の面のみが粗面化された第２の基板２２が作製される。
【０１１８】
（３）第３粗面化処理は、第２基板２２を作製した後、画像記録層２４が形成される側の面に微粒子を分散した樹脂を塗布し、樹脂を硬化させて、第２基板２２の画像記録層２４が形成される側の面を粗面化するものである。上記樹脂としては、アクリレート系紫外線硬化樹脂、エポキシ系、イソシアネート系熱硬化性樹脂等を使用することができる。
【０１１９】
また、微粒子は、ＳｉＯ2、Ａｌ2Ｏ3等の無機微粒子やポリカーボネート、アクリル系の樹脂粒子等を使用することができる。微粒子の体積平均粒径は、０．３〜２００μｍであることが好ましく、０．６〜１００μｍであることがより好ましい。当該微粒子の粒径と添加量を調整することで、粗面化面を所望の粗さとすることができる。
【０１２０】
（４）第４粗面化処理は、第２基板２２を作製した後、画像記録層２４が形成される側の面に機械加工処理を施して、第２基板２２の画像記録層２４が形成される側の面を粗面化するものである。機械加工処理としては、種々の処理が適用できるが、サンドブラストといったブラスト処理を適用することが好ましい。
【０１２１】
（５）第５粗面化処理は、第２基板２２を作製した後、画像記録層２４が形成される側の面に化学処理を施して、第２基板２２の画像記録層２４が形成される側の面を粗面化するものである。化学処理としては、成型後の第２基板２２の一方の面に溶剤を塗布したり、スプレーで噴霧する等してエッチングする処理を適用することができる。当該溶剤としては、ジメチルホルムアミド等の有機溶剤が好ましく、それ以外に、硝酸、塩酸、硫酸といった酸性溶剤等を挙げることができる。上記のような酸性溶剤の規定度を調整したり、塗布時間を調整することで、所望の粗さとすることができる。
【０１２２】
（第１反射層２０、第２反射層２６）
情報の再生時における反射率の向上の目的で、情報記録層１８、画像記録層２４に隣接して第１反射層２０、第２反射層２６が設けられる。第１反射層２０及び第２反射層２６の材料である光反射性物質はレーザ光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは２種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ、Ａｇ、Ａｌあるいはこれらの合金であり、最も好ましくは、Ａｇ、Ａｌあるいはそれらの合金である。第１反射層２０及び第２反射層２６は、例えば、上記光反射性物質を蒸着、スパッタリング又はイオンプレーティングすることにより、情報記録層１８及び画像記録層２４の上に形成することができる。第１反射層２０及び第２反射層２６の層厚は、１０〜３００ｎｍの範囲にあり、５０〜２００ｎｍの範囲にあることが好ましい。
【０１２３】
（接着層２８）
接着層２８は、図１における第１積層体１２と第２積層体１４とを接着するための層であり、第１反射層２０と第２反射層２６との間に位置する。接着層２８に使用される接着剤としては、公知の紫外線硬化樹脂等を使用することができる。
【０１２４】
（画像記録層２４）
光ディスク１０は、上述したように、情報記録層１８とは反対側の面に画像記録層２４を有する。画像記録層２４には、文字、図形、絵柄等、ユーザが所望する可視画像（可視情報）が記録される。画像記録層２４に記録される可視画像とは、視覚的に認識可能な画像を意味し、文字（列）、絵柄、図形等あらゆる視認可能な情報を含む。可視画像としては、文字、図形、絵柄等、ユーザが所望する可視画像が含まれ、具体的には、ディスクのタイトル、内容情報、内容のサムネール、関連した絵柄、デザイン的な絵柄、著作権情報、記録日時、記録方法、記録フォーマット、バーコード等が挙げられる。
【０１２５】
また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。
【０１２６】
画像記録層２４は、レーザ光の照射により、文字、画像、絵柄等の画像情報を視認可能に記録できればよい。レーザ光の照射によって可視画像を明瞭に形成できることを考慮すると、画像記録層２４は、色素化合物を含有することが好ましい。そして、その構成材料としては、上述した情報記録層１８において説明した色素を好適に用いることができる。この場合、コスト等を考慮して、画像記録層２４は色素化合物を含有する塗布液を用いてスピンコートにより形成されていることが好ましい。
【０１２７】
また、光ディスク１０においては、上述した情報記録層１８の構成成分（色素又は相変化記録材料）と画像記録層２４の構成成分とを同じにしても、異ならせてもよいが、情報記録層１８と画像記録層２４とでそれぞれ要求される特性が相違するため、構成成分は異ならせることが好ましい。具体的には、情報記録層１８の構成成分は記録・再生特性に優れるものとし、画像記録層２４の構成成分は記録される可視画像のコントラストが高くなるものとすることが好ましい。特に、色素を用いる場合、画像記録層２４には、記録される可視画像のコントラスト向上の観点から、上述した色素の中でも特に、シアニン色素、フタロシアニン色素、アゾ色素、アゾ金属錯体、オキソノール色素を用いることが好ましい。
【０１２８】
また、ロイコ系の染料も使用することができる。具体的には、クリスタルバイオレットラクトン；３，３−ビス（１−エチル２−メチルインドール−３−イル）フタリド、３−（４−ジエチルアミノ−２−エトキシフェニル）−３−（１−エチル２−メチルインドール−３−イル）−４−アザフタリド等のフタリド化合物；３−シクロヘキシルメチルアミノ−６−メチル−７−アニリノフルオラン、２−（２−クロロアニリノ）−６−ジブチルアミノフルオラン、３−ジエチルアミノ−６−メチル−７−アニリノフルオラン、３−ジエチルアミノ−６−メチル−７−キシリジノフルオラン、２−（２−クロロアニリノ）−６−ジエチルアミノフルオラン、２−アニリノ−３−メチル−６（Ｎ−エチルイソペンチルアミノ）フルオラン、３−ジエチルアミノ−６−クロロ−７−アニリノフルオラン、３−ベンジルエチルアミノ−６−メチル−７−アニリノフルオラン、３−メチルプロピルアミノ−６−メチル−７−アニリノフルオラン等のフルオラン化合物；等が好ましい。
【０１２９】
画像記録層２４は、上述した色素を溶剤に溶解して塗布液を調製し、該塗布液を塗布することによって形成することができる。溶剤としては既述の情報記録層１８の塗布液の調製に使用する溶剤と同じ溶剤を使用することができる。その他の添加剤、塗布方法等は、上述した情報記録層の場合と同様である。
【０１３０】
画像記録層２４の層厚としては、０．０１〜２μｍとすることが好ましく、０．０５〜１μｍとすることがより好ましく、０．１〜０．５μｍとすることがさらに好ましい。
【０１３１】
なお、画像記録層２４は、レーザ光が略同一の軌跡に複数回照射されて可視情報が記録される層であり、プリピット３２にレーザ光を照射した後の戻り光を検出して可視情報の記録が行われる態様、あるいは、画像記録層２４が、レーザ光が光ディスク１０の半径方向に遥動し且つ略同一の軌跡に複数回照射されて可視情報が記録される層であり、プリピット３２にレーザ光を照射した後の戻り光を検出して可視情報の記録が行われる態様であることが好ましい。
【０１３２】
このようにすることで、可視画像の描画が可能な光ディスク１０であることをドライブやレコーダにおいて認識させることができる。また、複数回照射することで、描画画像のコントラストを向上させることができる。
【０１３３】
以下に、図１では図示しないが、好ましい態様において形成される保護層について説明する。
【０１３４】
（保護層）
第１反射層２０や情報記録層１８等を物理的及び化学的に保護する目的で保護層が設けられてもよい。
【０１３５】
保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
【０１３６】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、さらに帯電防止剤、酸化防止剤、ＵＶ吸収剤等の各種添加剤を目的に応じて添加してもよい。保護層の層厚は一般には０．１μｍ〜１ｍｍの範囲にある。
【０１３７】
なお、光ディスク１０は、第１基板１６にレーザ光により再生可能な情報が記録された記録部（ピット）を有する、いわゆる再生専用型の光ディスクに適用することができるのは既述の通りである。
【０１３８】
光ディスク１０の変形例として、図４及び図５の構成を挙げることができる。なお、図５では、情報記録層１８（図１参照）を省略して示す。
【０１３９】
図４及び図５に示す第２の変形例に係る光ディスク１０ｂは、上述した光ディスク１０とほぼ同様の構成を有するが、第２基板２２の主面の内周側に印刷領域３６が形成されている点で異なる。また、プリピット領域３０は、画像記録層形成領域３４とは重なっておらず、第２基板２２の外周側から内周側に向かって、画像記録層形成領域３４、プリピット領域３０、印刷領域３６が配置された形態なっている。
【０１４０】
印刷領域３６には、例えば、製品名やメーカー名等が印刷される。印刷方法としては、スクリーン印刷が挙げられる。印刷領域３６を第２基板２２の最内周側に形成することで、光ディスク１０ｂの最内周側が遮蔽され、ユーザの視覚効果を高めることができる。
【０１４１】
ここで、光ディスク１０ｂの中心から印刷領域３６、プリピット領域３０及び画像記録層形成領域３４までの半径方向の距離について説明する。
【０１４２】
先ず、光ディスク１０ｂの中心から印刷領域３６の内周端までの距離ｒ０は、８〜２１ｍｍであることが好ましく、光ディスク１０ｂの中心から印刷領域３６の外周端までの距離ｒ１は、２１〜２３ｍｍ（但し、ｒ０＜ｒ１）であることが好ましい。
【０１４３】
光ディスク１０ｂの中心からプリピット領域３０の内周端までの距離ｒ２は、１９〜２２ｍｍであることが好ましく、光ディスク１０ｂの中心からプリピット領域３０の外周端までの距離ｒ３は、２２〜２５ｍｍ（但し、ｒ２＜ｒ３）であることが好ましい。
【０１４４】
また、光ディスク１０ｂの中心から画像記録層形成領域３４の内周端までの距離ｒ４は、２２〜２５ｍｍであることが好ましく、光ディスク１０ｂの中心から画像記録層形成領域３４の外周端までの距離ｒ５は、光ディスク１０ｂの最外周に対応する（但し、ｒ４＜ｒ５）。
【０１４５】
［画像記録方法］
上述した光ディスク１０、１０ａ、１０ｂ（代表的に光ディスク１０と記す）の画像記録層２４への画像記録は、本実施の形態に係る光ディスク記録装置１００を用いて行う。
【０１４６】
以下、本実施の形態に係る光ディスク記録装置１００について図６〜図３５を参照しながら説明する。
【０１４７】
光ディスク１０の画像記録層２４への可視画像の記録及び情報記録層１８へのデジタル情報の記録は、例えば、画像記録層２４及び情報記録層１８への記録機能を有する１つの光ディスク記録装置１００で行うことができる。１つの光ディスク記録装置１００を使用する場合、画像記録層２４及び情報記録層１８のいずれか一方の層への記録を行った後、光ディスク１０を裏返して他方の層に記録を行うことができる。
【０１４８】
そして、本実施の形態に係る光ディスク記録装置１００は、図６に示すように、制御部１０２（ＣＰＵを含む）と、装着された光ディスク１０を回転駆動するスピンドルモータ１０４と、光ディスク１０に対してレーザ光Ｌを照射する光ピックアップ１０６と、該光ピックアップ１０６による光ディスク１０に対するレーザ光Ｌの照射位置を調整する照射位置調整手段１０８と、プリピット領域３０にレーザ光Ｌを照射して得られる戻り光信号Ｓｒからプリピット信号Ｓｐを得るプリピット検出手段１１０と、得られたプリピット信号Ｓｐをデコードしてプリピット情報Ｄｐを得るデコーダ１１２と、画像データＤｇに基づく可視画像をプリピット情報Ｄｐに基づいてレーザ光Ｌによって光ディスク１０の画像記録層２４に描画するレーザ光制御手段１１４とを有する。
【０１４９】
また、この光ディスク記録装置１００は、光ディスク１０の画像記録層２４が光ピックアップ１０６と対向するように、光ディスク１０がセットされた場合に、画像データＤｇに対応する可視画像が画像記録層２４に形成されるように、光ピックアップ１０６、照射位置調整手段１０８及びレーザ光制御手段１１４を制御する画像形成制御手段１１６を有する。
【０１５０】
プリピット検出手段１１０は、２つの回路構成（第１プリピット検出手段１１０ａ及び第２プリピット検出手段１１０ｂ）が考えられる。
【０１５１】
第１プリピット検出手段１１０ａは、プリピット領域３０と画像記録層形成領域３４とが一部重なって、プリピット３２上に画像記録層２４の少なくとも一部が形成されている光ディスク１０（図１参照）を対象とした回路構成を有し、図７に示すように、戻り光信号Ｓｒを反転してプリピット信号Ｓｐを得る信号反転回路１１８を有する。「戻り光信号Ｓｒを反転する」とは、戻り光信号Ｓｒの信号波形を反転するものであって、位相反転や極性反転を含む概念である。
【０１５２】
信号反転回路１１８を設ける意義は以下の通りである。先ず、プリピット領域３０と画像記録層形成領域３４とが一部重なって形成される場合、戻り光信号Ｓｒの読み出しにおいて問題が生じることがある。
【０１５３】
すなわち、プリピット領域３０の上層に画像記録層２４が存在する場合と、存在しない場合において以下のような差異がある。プリピット領域３０の上層に画像記録層２４が存在しない場合、つまり、これは、例えば画像記録層２４を有しない通常の光ディスクに形成されたプリピットの情報を読み取る場合等が該当するが、このような場合、プリピット部位の反射率がプリピット間の反射率よりも低い。従って、プリピット３２に関する信号処理では、通常のデコーダ１１２を使用することができ、上述の反射率の差に基づいてプリピット信号Ｓｐを生成し、生成されたプリピット信号Ｓｐをイコライズ、デコードすることによってプリピット情報Ｄｐを得ることができる。なお、イコライズは、戻り光信号Ｓｒに対して行うようにしてもよい。
【０１５４】
しかし、プリピット領域３０の上層に画像記録層２４が存在する場合は、プリピット部位の反射率がプリピット間の反射率よりも高いことから、上述の信号処理では正しいプリピット情報Ｄｐを得ることができない。
【０１５５】
そこで、第１プリピット検出手段１１０ａは、信号反転回路１１８によって戻り光信号Ｓｒを反転してプリピット信号Ｓｐを得るようにしている。これにより、後段の通常のデコーダ１１２にて正しいプリピット情報Ｄｐを得ることができる。
【０１５６】
一方、第２プリピット検出手段１１０ｂは、プリピット領域３０の上層に画像記録層２４が存在する光ディスク１０のほか、プリピット領域３０の上層に画像記録層２４が存在しない光ディスク（例えば光ディスク１０ａ）にも適用させることができる。
【０１５７】
前提として、プリピット領域３０に形成されたプリピット３２の組み合わせにて示される情報に、特定のコードが含まれていることが好ましい。
【０１５８】
そして、この第２プリピット検出手段１１０ｂは、図８に示すように、上述した信号反転回路１１８と、セレクタ１２０と、コード検出回路１２２と、スイッチング制御回路１２４とを有する。セレクタ１２０は、戻り光信号Ｓｒをデコーダ１１２に直接入力させる第１信号ラインＬｓ１と、戻り光信号Ｓｒを信号反転回路１１８を介してデコーダ１１２に入力させる第２信号ラインＬｓ２とを切り替え選択する。コード検出回路１２２は、デコーダ１１２から出力された情報に特定のコードが含まれているか否かを検出する。スイッチング制御回路１２４は、コード検出回路１２２からの検出結果が、「特定のコードを含まない」を示す場合に、セレクタ１２０に対して戻り光信号Ｓｒの信号ラインを第１信号ラインＬｓ１又は第２信号ラインＬｓ２に切り替えるための制御信号Ｓｓを出力する。
【０１５９】
例えば初期段階においてセレクタ１２０が第１信号ラインＬｓ１を選択している場合、対象の光ディスク１０が、プリピット領域３０の上層に画像記録層２４が存在する光ディスク１０であれば、プリピット領域３０からの戻り光信号Ｓｒはそのままデコーダ１１２に入力されることから、デコーダ１１２からは正しいプリピット情報Ｄｐは出力されず、コード検出回路１２２において特定のコードは検出されないこととなる。従って、スイッチング制御回路１２４からセレクタ１２０に対して制御信号Ｓｓが出力され、これによって、セレクタ１２０は第２信号ラインＬｓ２に切り替える。その結果、プリピット領域３０からの戻り光信号Ｓｒは、今度は、信号反転回路１１８によって反転されてデコーダ１１２に入力されることから、デコーダ１１２からは正しいプリピット情報Ｄｐが出力されることとなる。この場合、コード検出回路１２２では特定のコードが検出される。
【０１６０】
反対に、対象の光ディスク１０が、プリピット領域３０の上層に画像記録層２４が存在しない光ディスク（例えば光ディスク１０ｂ）であれば、初期段階において、プリピット領域３０からの戻り光信号Ｓｒはそのままデコーダ１１２に入力されることから、デコーダ１１２からは正しいプリピット情報Ｄｐが出力されることとなる。この場合、コード検出回路１２２では特定のコードが検出され、セレクタ１２０での信号ラインの切り替えは行われない。
【０１６１】
図６に示すレーザ光制御手段１１４は、得られたプリピット情報Ｄｐに基づいてレーザ光Ｌを制御する。例えば、プリピット情報Ｄｐに可視画像の描画条件等を引き出すための識別情報を含ませておく。そして、識別情報に対応する描画条件を予めテーブル化して、制御部１０２内のＣＰＵが参照するメモリに記憶しておく。制御部１０２は、検知したプリピット情報Ｄｐに対応する描画条件をテーブルを参照して読み出し、読み出した描画条件をレーザ光制御手段１１４に与える。レーザ光制御手段１１４は、与えられた描画条件に従ってレーザ光Ｌを制御する。これにより、最適な描画条件によって可視画像を画像記録層２４に描画することができる。
【０１６２】
また、本実施の形態に係る光ディスク記録装置１００は、上述した各種手段のほか、以下の（１）〜（１０）に示す全ての構成あるいは一部の構成を持たせることが好ましい。
【０１６３】
（１）画像形成制御手段１１６において、画像データＤｇに示される階調度合いに応じて光ピックアップ１０６から照射されるレーザ光Ｌを制御すること。
【０１６４】
この構成によれば、画像データＤｇに応じてレーザ光Ｌを光ディスク１０の画像記録層２４に照射することによって、該画像記録層２４の吸光度変化に伴い、反射率が画像様に変化し、画像データＤｇに対応する可視画像を形成することができる。このような可視画像の形成の際に、画像データＤｇに示される画像記録層２４上の各位置（座標）の階調度に応じたレーザ光Ｌの制御を行うことができ、階調表現がなされた可視画像を形成することができる。
【０１６５】
（２）図９に示すように、ビームスポット制御手段１２６を具備すること。
【０１６６】
ビームスポット制御手段１２６は、画像形成制御手段１１６に含まれ、画像記録層２４に可視画像を形成する際に、画像記録層２４に照射されるレーザ光Ｌのビームスポット径が、情報記録を行う際に情報記録層１８に対して照射するレーザ光のビームスポット径よりも大きくなるように、光ピックアップ１０６を制御する。
【０１６７】
この（２）の構成によれば、画像データＤｇに応じて変調されたレーザ光Ｌを画像記録層２４に照射することによって、該画像記録層２４の吸光度変化に伴い、反射率が画像様に変化し、画像データＤｇに対応する可視画像を形成することができる。このような可視画像の形成の際に、画像記録層２４に照射するレーザ光Ｌのビームスポット径を大きくすることにより、ある一定時間（例えば光ディスク１０が１回転する時間）に、レーザ光Ｌが照射される領域を大きくすることができ、可視画像の形成のために要する時間を短縮することができる。
【０１６８】
（３）図１０に示すように、レーザ光強度設定手段１２８とレーザ光強度制御手段１３０とを具備すること。
【０１６９】
レーザ光強度設定手段１２８は、画像形成制御手段１１６に含まれ、画像データＤｇに基づいて、画像記録層２４に対して照射するレーザ光Ｌの強度が、第１強度（画像記録層２４の光学特性（吸光度等）がほとんど変化しない強度）又は第２強度（第１強度よりも大きく、且つ、画像記録層２４の光学特性が変化する強度）となるように制御する。
【０１７０】
特に、このレーザ光強度設定手段１２８は、画像データＤｇに基づく制御に従って光ピックアップ１０６から出射されるレーザ光Ｌの強度が、連続して第２強度となっている時間が一定の時間を超えた場合に、当該画像データＤｇの内容に関わらず、光ピックアップ１０６から出射されるレーザ光Ｌの強度を所定の時間だけ第１強度となるようにレーザ光制御手段１１４を制御する。
【０１７１】
一方、レーザ光強度制御手段１３０は、画像形成制御手段１１６に含まれ、レーザ光Ｌの強度が第１強度となっている期間において、該レーザ光Ｌの強度を検出し、検出した強度が第１強度の第１目標値となるように制御する。同様に、レーザ光Ｌの強度が第２強度となっている期間において、該レーザ光Ｌの強度を検出し、検出した強度が第２強度の第２目標値となるように制御する。第１目標値及び第２目標値は、プリピット情報Ｄｐに含まれる識別情報に基づいて制御部１０２にて検索される描画条件に含めるようにしてもよい。
【０１７２】
この構成によれば、画像データＤｇに応じてレーザ光Ｌを光ディスク１０の画像記録層２４に照射することによって、該画像記録層２４の吸光度変化に伴い、反射率が画像様に変化し、画像データＤｇに対応する可視画像を形成することができる。このような可視画像の形成の際に、画像データＤｇに応じたレーザ光Ｌの強度が画像記録層２４を変化させる第２強度である時間が長く続いた場合にも、その画像データＤｇに拘わらず、レーザ光制御のために画像記録層２４がほとんど変化しない第１強度のレーザ光Ｌを照射するようにしたので、その照射結果に基づいたレーザ光制御を行うことができる。
【０１７３】
（４）図１１に示すように、相対位置調整手段１３２を具備すること。
【０１７４】
相対位置調整手段１３２は、画像形成制御手段１１６に含まれ、光ディスク１０が光ディスク記録装置１００にセットされた際に、光ディスク１０における光ピックアップ１０６と対向する面が画像記録層２４であるか情報記録層１８であるかに基づいて、光ディスク１０の光ピックアップ１０６と対向する面と光ピックアップ１０６との相対位置関係を調整する。
【０１７５】
この構成によれば、画像データＤｇに応じてレーザ光Ｌを光ディスク１０の画像記録層２４に照射することによって、該画像記録層２４の吸光度変化に伴い、反射率が画像様に変化し、画像データＤｇに対応する可視画像を形成することができる。そして、光ディスク１０がセットされた場合、画像記録層２４もしくは情報記録層１８のいずれが光ピックアップ１０６と対向するようにセットされたかに応じて光ピックアップ１０６と、これに対向する面との間の位置関係を調整することができる。従って、情報記録層１８を光ピックアップ１０６に対向するようにセットした場合や、画像記録層２４を光ピックアップ１０６に対向するようにセットした場合とで、それぞれ適した制御（例えばフォーカス制御等）を行うことができる。
【０１７６】
（５）図１２に示すように、サーボ制御手段１３４を具備すること。
【０１７７】
サーボ制御手段１３４は、上述した画像記録層２４に加えて、第１基板１６の表面（情報記録層１８が形成される側の面）に案内溝が螺旋状に形成された光ディスク１０に対応したものである。従って、画像記録層に可視画像を形成する場合は、第１基板１６の端面を介して案内溝に照射される第１レーザ光と、第２基板２２の端面を介して画像記録層２４に照射され、前記第１レーザ光の照射位置と連動して照射される第２レーザ光とが光ピックアップ１０６から出射されることになる。
【０１７８】
このサーボ制御手段１３４は、画像形成制御手段１１６に含まれ、光ピックアップ１０６が照射した第１レーザ光Ｌの光ディスク１０からの反射光に基づいて案内溝に沿って第１レーザ光が照射されるように、照射位置調整手段１０８を制御する。
【０１７９】
レーザ光制御手段１１４は、サーボ制御手段１３４によって案内溝に沿って第１レーザ光の照射位置が移動している間に、画像データＤｇに対応する可視画像が光ディスク１０の画像記録層２４に形成されるように、光ピックアップ１０６から照射される第２レーザ光を制御する。
【０１８０】
この構成によれば、画像データＤｇに応じて第２レーザ光を光ディスク１０の画像記録層２４に照射することによって、該画像記録層２４の吸光度変化に伴い、反射率が画像様に変化し、画像データＤｇに対応する可視画像を形成することができる。この場合、第１基板１６に形成された案内溝を検出し、該検出した案内溝に沿って第１レーザ光の照射位置を移動させることから、情報記録層への情報記録のような動作を行うことになるが、該情報記録のような複雑なレーザ光照射位置の制御を行うことなく、可視画像の形成を行うことができる。
【０１８１】
（６）図１３に示すように、クロック信号出力手段１３６と回転検出手段１３８とを具備すること。
【０１８２】
クロック信号出力手段１３６は、スピンドルモータ１０４による光ディスク１０の回転速度に応じた周波数のクロック信号を出力する。
【０１８３】
回転検出手段１３８は、画像形成制御手段１１６に含まれ、クロック信号出力手段１３６からのクロック信号を計数して、スピンドルモータ１０４によって光ディスク１０が所定の基準位置から１回転させられたことを検出する。
【０１８４】
そして、照射位置調整手段１０８は、可視画像を光ディスク１０の画像記録層２４に形成するために光ピックアップ１０６からレーザ光Ｌが出射されている状態において、光ディスク１０が所定の基準位置から１回転させられたことが回転検出手段１３８によって検出された場合に、光ピックアップ１０６によるレーザ光Ｌの照射位置を光ディスク１０の所定の径方向に所定量移動させる機能を有することが好ましい。
【０１８５】
この構成によれば、画像データＤｇに応じてレーザ光Ｌを光ディスク１０の画像記録層２４に照射することによって、該画像記録層２４の吸光度変化に伴い、反射率が画像様に変化し、画像データＤｇに対応する可視画像を形成することができる。この可視画像の形成の際に、光ディスク１０の回転速度に応じた周波数のクロック信号の一定周期毎、つまり、光ディスク１０が一定角度回転する毎に可視画像の形成のためのレーザ光の照射位置制御を行うため、光ディスク１０の一定の角度毎の位置に画像データＤｇに応じた内容の可視画像を形成することができる。
【０１８６】
また、画像形成制御手段１１６は、スピンドルモータ１０４によって回転させられる光ディスク１０の画像記録層２４の所定の基準位置から可視画像を形成するために光ピックアップ１０６にレーザ光Ｌを照射させる一方で、当該レーザ光Ｌの照射位置が光ディスク１０の所定の基準位置に達するよりも所定量だけ前方の位置から所定の基準の位置までの領域に対して可視画像の形成のためのレーザ光Ｌが照射されないように、光ピックアップ１０６を制御するようにしてもよい。
【０１８７】
この場合、画像記録層２４への可視画像の形成の際に、光ディスク１０を回転させながら、当該光ディスク１０の基準位置からレーザ光Ｌを照射して可視画像を形成し、レーザ光Ｌの照射位置がその基準位置に戻る直前の領域に対しては可視画像形成のためのレーザ光照射を行わないようにしている。
【０１８８】
従って、光ディスク１０の回転が不安定になる等の何らかの理由でレーザ光Ｌの照射位置制御が乱れ、基準位置からレーザ光Ｌを照射し続けて光ディスク１０が１回転させられ、その照射位置が再度基準位置を通過する、つまり、後に既にレーザ光Ｌを照射した位置とに重なる位置にレーザ光Ｌの照射位置が移動するといったことがあった場合にも、その位置に可視画像形成のためのレーザ光Ｌが照射されることを抑制でき、この結果、形成される可視画像の品位が劣化することを防止することができる。
【０１８９】
（７）図１４に示すように、ディスク識別手段１４０を具備すること。
【０１９０】
ディスク識別手段１４０は、光ディスク記録装置１００にセットされた光ディスク１０の種類を識別するためのディスク識別情報を取得する。
【０１９１】
画像形成制御手段１１６は、画像データＤｇに対応する可視画像が光ディスク１０の画像記録層２４に形成されるように、光ピックアップ１０６及び照射位置調整手段１０８を制御するが、特に、この構成では、ディスク識別手段１４０によって識別された光ディスク１０の種類に応じて光ピックアップ１０６及び照射位置調整手段１０８を制御する。
【０１９２】
この構成によれば、画像データＤｇに応じてレーザ光Ｌを光ディスク１０の画像記録層２４に照射することによって、該画像記録層２４の吸光度変化に伴い、反射率が画像様に変化し、画像データＤｇに対応する可視画像を形成することができる。このような可視画像の形成の際に、セットされた光ディスク１０の種類に応じた可視画像の形成のための制御を行うことができる。
【０１９３】
（８）図１５に示すように、変調禁止手段１４２を具備すること。
【０１９４】
通常、外部から供給されたデータを光ディスク１０の情報記録層１８に記録する場合、ピットの解像度の関係から、データを変調回路によって情報記録用の変調（例えばＥＦＭ変調）を行って、情報記録層１８に記録するようにしている。
【０１９５】
この変調禁止手段１４２は、光ディスク１０の画像記録層２４に対して可視画像を形成する場合に、外部から供給される画像データＤｇに対する変調回路による情報記録用の変調（ＥＦＭ変調等）を禁止する。
【０１９６】
画像形成制御手段１１６は、光ディスク１０の画像記録層２４が光ピックアップ１０６と対向するように、光ディスク１０がセットされた場合に、情報記録用の変調が行われていない画像データＤｇに対応する可視画像が光ディスク１０の画像記録層２４に形成されるように、レーザ光制御手段１１４を制御する。
【０１９７】
この構成によれば、画像データＤｇに応じてレーザ光Ｌを光ディスク１０の画像記録層２４に照射することによって、該画像記録層２４の吸光度変化に伴い、反射率が画像様に変化し、画像データＤｇに対応する可視画像を形成することができる。このような可視画像の形成の際には、画像記録層２４に対して可視画像を記録する際に、画像データＤｇに対して変調回路による情報記録用の変調を禁止しているため、画像データＤｇが例えばＥＦＭ変調等されることがない。従って、当該画像データＤｇに応じた可視画像を形成するために、特別のデータ転送構成を設けることなく、情報記録層１８に対して情報記録をする際のデータ転送構成を併用することができる。
【０１９８】
（９）図１６に示すように、レーザ光強度設定手段１２８を具備すること。
【０１９９】
このレーザ光強度設定手段１２８を具備した光ディスク記録装置１００に適用される第３の変形例に係る光ディスク１０ｃは、図１７に示すように構成される。
【０２００】
すなわち、第１基板１６と、該第１基板１６上に形成された情報記録層１８と、該情報記録層１８上に形成された半透明反射層１４４とを有する第１積層体１２と、第２基板２２と、該第２基板２２上に形成された画像記録層２４とを有する第２積層体１４とが接着層２８を介して貼り合わされて構成されている。
【０２０１】
そして、レーザ光強度設定手段１２８は、画像記録層２４に可視画像を形成する際に光ピックアップ１０６から出射されるレーザ光Ｌの強度を設定する手段であって、形成すべき可視画像を表す画像データＤｇに基づいて、光ディスク１０ｃの情報記録層１８及び画像記録層２４をほとんど変化させない第１強度、あるいは、情報記録層１８をほとんど変化させないと共に、画像記録層２４の発色を変化させる第２強度のいずれかになるように、光ピックアップ１０６から出射されるレーザ光Ｌの強度を設定する。
【０２０２】
従って、レーザ光強度設定手段１２８を用いることで、第１基板１６の端面及び情報記録層１８を介して画像記録層２４に対してレーザ光Ｌを照射しても、情報記録層１８の光学特性を変化させずに、画像記録層２４に可視画像を記録することができる。
【０２０３】
この構成によれば、例えば図１７の光ディスク１０ｃに対して、従来と同様にして情報記録層１８に対してレーザ光Ｌを照射して情報記録をすることができると共に、画像記録層２４に対して可視画像の形成をすることができる。さらに、情報記録も、可視画像の形成も、光ディスク１０ｃの同一面（第１基板１６の端面）からレーザ光Ｌを照射することにより実行することが可能であることから、ユーザは光ディスク１０ｃを裏返して再セットする等の煩わしい作業をする必要がない。
【０２０４】
（１０）図１８に示すように、照射タイミング制御手段１４６を具備すること。
【０２０５】
先ず、上述した照射位置調整手段１０８は、光ピックアップ１０６によるレーザ光Ｌの照射位置を画像記録層２４に所定の螺旋状もしくは同心円周状の経路に沿って移動させる。上述したレーザ光制御手段１１４は、画像データＤｇに対応する可視画像が光ディスク１０の画像記録層２４に形成されるように、光ピックアップ１０６が照射するレーザ光Ｌを制御する。
【０２０６】
そして、照射タイミング制御手段１４６は、光ディスク１０を仮想に複数に分割した扇形部分の各々に属する隣接する所定数（複数）の前記経路を含む領域を単位領域としたとき、可視画像における当該単位領域の濃淡が表現されるように当該単位領域に属する前記経路の各々に照射するレーザ光Ｌの照射タイミングを制御する。
【０２０７】
この構成によれば、画像データＤｇに応じてレーザ光Ｌを光ディスク１０の画像記録層２４に照射することによって、該画像記録層２４の吸光度変化に伴い、反射率が画像様に変化し、画像データＤｇに対応する可視画像を形成することができる。このような可視画像の形成の際に、画像データＤｇに示される画像記録層２４上の各位置（座標）の階調度に応じたレーザ光の照射タイミング制御を行うことができ、階調表現がなされた可視画像を形成することができる。
【０２０８】
Ａ．光ディスク記録装置１００の具体的構成
光ディスク記録装置１００は、上述したように、光ディスク１０（光ディスク１０ａ〜１０ｃを含む）の情報記録層１８に対してレーザ光Ｌを照射して情報を記録する光ディスク記録装置であり、このような情報記録層１８に対する情報記録だけではなく、情報記録層１８と反対側の面に画像記録層２４が形成された光ディスク１０の当該画像記録層２４にレーザ光Ｌを照射することにより、画像データＤｇに対応する可視画像を形成する機能を有している。なお、この光ディスク記録装置１００では、所定の色素を使用する光ディスク１０に対しては、画像記録層２４のみならず、通常のデジタルデータを記録する情報記録層１８に対しても可視画像を記録できる。
【０２０９】
−光ディスク記録装置１００の構成−
図１９は、本実施の形態に係る光ディスク記録装置１００の構成を示すブロック図である。
【０２１０】
この光ディスク記録装置１００は、図１９に示すように、ホストパーソナルコンピュータ（ＰＣ）１４８に接続されており、光ピックアップ１０６と、スピンドルモータ１０４と、ＲＦ（Ｒａｄｉｏ  Ｆｒｅｑｕｅｎｃｙ）アンプ１５０と、サーボ回路１５２と、デコーダ１５４と、制御部１０２と、エンコーダ１５６と、ストラテジ回路１５８と、レーザドライバ１６０と、レーザパワー制御回路１６２と、周波数発生器１６４と、ステッピングモータ１６５と、モータドライバ１６６と、モータコントローラ１６８と、ＰＬＬ（Ｐｈａｓｅ  Ｌｏｃｋｅｄ  Ｌｏｏｐ）回路１７０と、ＦＩＦＯ（Ｆｉｒｓｔ  Ｉｎ  ＦｉｒｓｔＯｕｔ）メモリ１７２と、駆動パルス生成部１７４と、バッファメモリ１７６とを備えている。
【０２１１】
スピンドルモータ１０４は、データを記録する対象となる光ディスク１０を回転駆動するモータであり、サーボ回路１５２によりその回転数が制御される。本実施の形態に係る光ディスク記録装置１００では、例えばＣＡＶ（Ｃｏｎｓｔａｎｔ  Ａｎｇｕｌａｒ  Ｖｅｌｏｃｉｔｙ）方式で記録等を実施するようになっているので、スピンドルモータ１０４は制御部１０２等からの指示で設定された一定の角速度で回転するようになっている。
【０２１２】
光ピックアップ１０６は、スピンドルモータ１０４によって回転させられる光ディスク１０に対してレーザ光Ｌを照射するユニットであり、その構成を図２０に示す。
【０２１３】
図２０に示すように、光ピックアップ１０６は、レーザ光Ｌを出射するレーザダイオード１７８と、回折格子１８０と、レーザ光Ｌを光ディスク１０の面に集光する光学系１８２と、反射光を受光する受光素子１８４とを備えている。
【０２１４】
光ピックアップ１０６において、レーザダイオード１７８は、レーザドライバ１６０（図１９参照）から駆動電流が供給されることにより該駆動電流に応じた強度のレーザ光Ｌを出射する。光ピックアップ１０６は、レーザダイオード１７８より出射されたレーザ光Ｌを回折格子１８０により主ビームと先行ビームと後行ビームに分離し、この３つのレーザビームを偏光ビームスプリッタ１８６、コリメータレンズ１８８、１／４波長板１９０、対物レンズ１９２を経て、光ディスク１０の面に集光させる。
【０２１５】
そして、光ディスク１０の面で反射された３つのレーザビームを、再び対物レンズ１９２、１／４波長板１９０、コリメータレンズ１８８を透過させて、偏光ビームスプリッタ１８６で反射させ、シリンドリカルレンズ１９４を経て、受光素子１８４に入射させるようになっている。受光素子１８４は受光した信号をＲＦアンプ１５０（図１９参照）に出力し、該受光信号がＲＦアンプ１５０を介して制御部１０２やサーボ回路１５２に供給されるようになっている。
【０２１６】
対物レンズ１９２は、フォーカスアクチュエータ１９６及びトラッキングアクチュエータ１９８に保持されて、レーザ光Ｌの光軸方向及び光ディスク１０の径方向に移動できるようになっている。フォーカスアクチュエータ１９６及びトラッキングアクチュエータ１９８の各々は、サーボ回路１５２（図１９参照）から供給されるフォーカスエラー信号及びトラッキングエラー信号に応じて対物レンズ１９２を光軸方向及び径方向に移動させる。なお、サーボ回路１５２は、受光素子１８４及びＲＦアンプ１５０を介して供給される受光信号に基づいてフォーカスエラー信号及びトラッキングエラー信号を生成し、上記のように対物レンズ１９２を移動させることで、フォーカス制御及びトラッキング制御を行う。
【０２１７】
また、光ピックアップ１０６には、図示しないフロントモニタダイオードを有しており、レーザダイオード１７８がレーザ光Ｌを出射しているときに、当該レーザ光Ｌを受光したフロントモニタダイオードに電流が生じ、当該電流が光ピックアップ１０６から図１９に示すレーザパワー制御回路１６２に供給されるようになっている。
【０２１８】
ＲＦアンプ１５０は光ピックアップ１０６から供給された例えばＥＦＭ（Ｅｉｇｈｔ  ｔｏ  Ｆｏｕｒｔｅｅｎ  Ｍｏｄｕｌａｔｉｏｎ）変調されたＲＦ信号を増幅し、増幅後のＲＦ信号をサーボ回路１５２及びデコーダ１５４にＲＦ信号を出力する。デコーダ１５４は、再生時にはＲＦアンプ１５０から供給されるＥＦＭ変調されたＲＦ信号をＥＦＭ復調して再生データを生成する。
【０２１９】
サーボ回路１５２には、制御部１０２からの指示信号、周波数発生器１６４から供給されるスピンドルモータ１０４の回転数に応じた周波数のＦＧパルス信号、及びＲＦアンプ１５０からのＲＦ信号が供給される。サーボ回路１５２は、これらの供給される信号に基づいて、スピンドルモータ１０４の回転制御及び光ピックアップ１０６のフォーカス制御、トラッキング制御を行う。光ディスク１０の記録面（情報記録層１８）に情報を記録する際や、光ディスク１０の画像記録層２４（図１参照）に可視画像を形成する場合のスピンドルモータ１０４の駆動方式としては、光ディスク１０を角速度一定で駆動する方式（ＣＡＶ：Ｃｏｎｓｔａｎｔ  Ａｎｇｕｌａｒ  Ｖｅｌｏｃｉｔｙ）や、一定の記録線速度となるように光ディスクＤを回転駆動する方式（ＣＬＶ：Ｃｏｎｓｔａｎｔ  Ｌｉｎｅａｒ  Ｖｅｌｏｃｉｔｙ）のいずれを用いるようにしてもよい。本実施の形態に係る光ディスク記録装置１００では、例えばＣＡＶ方式を採用しており、サーボ回路１５２はスピンドルモータ１０４を制御部１０２によって指示された一定の角速度で回転駆動させる。
【０２２０】
バッファメモリ１７６は、ホストＰＣ１４８から供給される、光ディスク１０の情報記録層１８に記録すべき情報（記録データＤｗ）及び光ディスク１０の画像記録層２４に形成すべき可視画像に対応した情報（画像データＤｇ）を蓄積する。そして、バッファメモリ１７６に蓄積された記録データＤｗはエンコーダ１５６に出力され、画像データＤｇは制御部１０２に出力される。
【０２２１】
エンコーダ１５６は、バッファメモリ１７６から供給される記録データＤｗをＥＦＭ変調し、ストラテジ回路１５８に出力する。ストラテジ回路１５８は、エンコーダ１５６から供給されたＥＦＭ信号に対して時間軸補正処理等を行い、レーザドライバ１６０に出力する。
【０２２２】
レーザドライバ１６０は、ストラテジ回路１５８から供給される記録データＤｗに応じて変調された信号と、レーザパワー制御回路１６２の制御に従って光ピックアップ１０６のレーザダイオード１７８（図２０参照）を駆動する。
【０２２３】
レーザパワー制御回路１６２は、光ピックアップ１０６のレーザダイオード１７８（図２０参照）から照射されるレーザパワーを制御するものである。具体的には、レーザパワー制御回路１６２は、制御部１０２によって指示される最適なレーザパワーの目標値と一致する値のレーザ光Ｌが光ピックアップ１０６から出射されるようにレーザドライバ１６０を制御する。ここで行われるレーザパワー制御回路１６２によるレーザパワー制御は、光ピックアップ１０６のフロントモニタダイオードから供給される電流値を用い、目標となる強度のレーザ光Ｌが光ピックアップ１０６から出射されるように制御するフィードバック制御である。
【０２２４】
ＦＩＦＯメモリ１７２には、ホストＰＣ１４８から供給されバッファメモリ１７６に蓄積された画像データＤｇが制御部１０２を介して供給され順次蓄積される。ここで、ＦＩＦＯメモリ１７２に蓄積される画像データＤｇ、すなわちホストＰＣ１４８から当該光ディスク記録装置１００に供給される画像データＤｇは以下のような情報を含んでいる。この画像データＤｇは、円盤状の光ディスク１０の画像記録層２４に可視画像を形成するためのデータであり、図２１に示すように、光ディスク１０の中心Ｄｏを中心とした多数の同心円上のｎ個の各座標（図中黒点で示す）毎にその階調度（濃淡）を示す情報が記述されている。当該画像データＤｇは、これらの各座標の階調度を示す情報が最内周側の円に属する座標点Ｐ１１、Ｐ１２・・・Ｐ１ｎ、その１つ外周側の円に属する座標Ｐ２１、Ｐ２２・・・Ｐ２ｎ、さらにその１つ外周側の円に属する座標といった順序で最外周の円の座標Ｐｍｎまでの各々座標点の階調度を示す情報が記述されたデータであり、ＦＩＦＯメモリ１７２には、このような極座標上の各座標の階調度を示す情報が上記のような順序で供給されることになる。
【０２２５】
なお、図２１は、各座標の位置関係を明瞭に示すために模式的に示す図であり、実際の各座標は図示したものよりも密に配置されることになる。また、ホストＰＣ１４８において、一般的に使用されるビットマップ形式等で光ディスク１０の感光面に形成する画像データを作成した場合には、当該ビットマップデータを上記のような極座標形式のデータに変換し、変換後の画像データをホストＰＣ１４８から光ディスク記録装置１００に送信するようにすればよい。
【０２２６】
上記のように供給される画像データＤｇに基づいて、光ディスク１０の画像記録層２４に対して可視画像を形成する際、ＦＩＦＯメモリ１７２には、ＰＬＬ回路１７０から画像記録用のクロック信号が供給されるようになっている。ＦＩＦＯメモリ１７２は、この画像記録用のクロック信号のクロックパルスが供給される毎に、最も先に蓄積された一つの座標の階調度を示す情報を駆動パルス生成部１７４に出力するようになっている。
【０２２７】
駆動パルス生成部１７４は、光ピックアップ１０６から照射するレーザ光Ｌの照射タイミング等を制御する駆動パルスを生成する。ここで、駆動パルス生成部１７４は、ＦＩＦＯメモリ１７２から供給される各座標毎の階調度を示す情報に応じたパルス幅の駆動パルスを生成する。例えば、ある座標の階調度が比較的大きい場合（濃度が大きい場合）には、図２２Ａに示すように、記録レベル（第２強度：画像記録層２４の光学特性が変化する強度）のパルス幅を大きくした駆動パルスを生成し、一方、階調度が比較的小さい座標については、図２２Ｂに示すように、記録レベルのパルス幅を小さくした駆動パルスを生成する。
【０２２８】
ここで、記録レベルとは、そのレベルのレーザパワーを光ディスク１０の画像記録層２４に照射した際に、画像記録層２４の光学特性に変化が生じ、反射率が明らかに変化するパワーレベルであり、上記のような駆動パルスがレーザドライバ１６０に供給された場合、そのパルス幅に応じた時間だけ記録レベルのレーザ光Ｌが光ピックアップ１０６から照射される。
【０２２９】
従って、階調度が大きい場合には、記録レベルの幅が長いレーザ光Ｌが照射され、光ディスク１０の画像記録層２４の単位領域中のより大きな領域において反射率が変化することになり、この結果、ユーザ等はこの領域が濃度の濃い領域であると視覚的に認識することになる。本実施の形態では、このように単位領域（単位長さ）あたりの反射率変化させる領域の長さを可変することにより、画像データＤｇに示される階調度を表現するようにしている。なお、サーボレベル（第１強度）とは、そのレベルのレーザパワーを光ディスク１０の画像記録層に照射した際に、画像記録層２４の光学特性がほとんど変化しないパワーレベルであり、反射率を変化させる必要がない領域に対しては記録レベルのレーザ光Ｌを照射せずに当該サーボレベルのレーザ光Ｌを照射すればよい。
【０２３０】
また、駆動パルス生成部１７４は、上記のような各座標毎の階調度を示す情報に従った駆動パルスを生成するとともに、レーザパワー制御回路１６２によるレーザパワー制御や、サーボ回路１５２によるフォーカス制御及びトラッキング制御を実施するために必要がある場合には、各々上記階調度を示す情報に拘わらず、非常に短い期間の記録レベルのパルスを挿入したり、サーボレベルのパルスを挿入する。
【０２３１】
例えば、図２３Ａに示すように、画像データＤｇ中のある座標の階調度に従って可視画像を表現するために、期間Ｔ１にわたって記録レベルのレーザ光Ｌを照射する必要がある場合であって、該期間Ｔ１がレーザパワーを制御するための所定のサーボ周期ＳＴよりも長い場合には、記録レベルのパルスを生成した時点からサーボ周期ＳＴが経過した時点で、短い時間ｔのサーボレベルを有するサーボ用オフパルス（ＳＳＰ１）を挿入する。
【０２３２】
一方、図２３Ｂに示すように、画像データＤｇ中のある座標の階調度に従って可視画像を表現するために、サーボ周期ＳＴ以上の期間にわたってサーボレベルのレーザ光Ｌを照射する必要がある場合には、サーボレベルのパルスが生成されてからサーボ周期ＳＴ経過後に、短い時間ｔの記録レベルを有するサーボ用オンパルス（ＳＳＰ２）を挿入する。
【０２３３】
上述したようにレーザパワー制御回路１６２によるレーザパワー制御は、光ピックアップ１０６のレーザダイオード１７８（図２０参照）から照射されるレーザ光Ｌを受光したフロントモニタダイオードから供給される電流（照射レーザ光の強度に応じた値の電流）に基づいて実施されることになる。より具体的には、図２４に示すように、レーザパワー制御回路１６２は、上記のようなフロントモニタダイオード２００によって受光されるレーザ光Ｌの強度に応じた値をサンプルホールドする（Ｓ２０１、Ｓ２０２）。
【０２３４】
そして、記録レベルのレーザ光Ｌを照射しているとき、すなわち、記録レベルの駆動パルス（図２２Ａ〜図２３Ｂ参照）が生成されているときにサンプルホールドした結果（サンプル値）と、制御部１０２から供給される記録レベルの目標値とを比較し、サンプル値が目標値となるようにレーザパワー制御を行う（Ｓ２０３）。
【０２３５】
また、サーボレベルのレーザ光Ｌを照射しているとき、すなわち、サーボレベルの駆動パルス（図２２Ａ〜図２３Ｂ参照）が生成されているときにサンプルホールドした結果（サンプル値）と、制御部１０２から供給されるサーボレベルの目標値とを比較し、サンプル値が目標値となるようにレーザパワー制御を行う（Ｓ２０４）。
【０２３６】
従って、記録レベルもしくはサーボレベルのパルスが所定のサーボ周期ＳＴ（サンプル周期）より長い時間継続して出力されない場合には、画像データＤｇの内容に拘わらず上記のようにサーボ用オフパルスＳＳＰ１、サーボ用オンパルスＳＳＰ２を強制的に挿入し、上記のような各々のレベル毎にレーザパワー制御ができるようにしているのである。
【０２３７】
また、上述したようにサーボ用オフパルスＳＳＰ１を挿入するのは、レーザパワーを制御するためだけではなく、サーボ回路１５２によるフォーカス制御やトラッキング制御を行うためにも実施されている。すなわち、トラッキング制御及びフォーカス制御は、光ピックアップ１０６の受光素子１８４（図２０参照）によって受光されたＲＦ信号、つまり、レーザダイオード１７８が出射したレーザ光Ｌの光ディスク１０からの戻り光（反射光）に基づいて行われる。
【０２３８】
ここで、図２５に、レーザ光Ｌを照射した際に、受光素子１８４によって受光される信号の一例を示す。図２５に示すように、記録レベルのレーザ光Ｌを照射した際の反射光は、レーザ光Ｌの立ち上がり時におけるピーク部分Ｋ１、その後、レベルが一定になる肩部分Ｋ２の要素を含んでおり、図２５中、斜線で示す部分が画像記録層２４の画像形成のために用いられたエネルギーであると考えられる。
【０２３９】
そして、このような画像記録層２４の画像形成に用いられるエネルギーは常に安定した値となるとは限らず、種々の状況に応じて変動することが考えられる。従って、図２５中、斜線部分の形状はその都度変動することが考えられ、つまり、記録レベルのレーザ光Ｌの反射光は、ノイズ等が多く安定した反射光が得られるとは限らず、この反射光を用いると、正確なフォーカス制御及びトラッキング制御の妨げとなってしまうおそれがある。従って、上述したように記録レベルのレーザ光Ｌが継続して長時間照射された場合には、サーボレベルのレーザ光Ｌの反射光を得ることができず、正確なフォーカス制御及びトラッキング制御が行えなくなるおそれがある。
【０２４０】
そこで、上述したようにサーボ用オフパルスＳＳＰ１を挿入することにより、サーボレベルのレーザ光Ｌの反射光を周期的に取得できるようにし、該取得した反射光に基づいてフォーカス制御及びトラッキング制御を実行する。光ディスク１０の画像記録層２４に可視画像を形成する際には、情報記録層１８に対して情報記録する場合と異なり、予め形成されたプリグルーブ（案内溝）等に沿ってトレースするといった必要がない。従って、本実施の形態では、トラッキング制御の目標値は、固定値（一定のオフセット電圧を設定しておく）としている。なお、このような制御方法は、画像記録層２４に可視画像を形成する場合のみならず、情報記録層１８に可視画像を形成する場合にも適用できる。すなわち、レーザ光Ｌを照射したときに、反射率だけでなく発色も変化する材質を情報記録層１８に用いれば、画像記録層２４と同様に、情報記録層にも可視画像を形成させることが可能である。このように、情報記録層に可視画像を形成させると、可視画像を形成した部分には当然ながら本来のデータ記録はできなくなるので、データ記録をする領域と可視画像を形成させる領域とを予め分けておくのが好ましい。
【０２４１】
なお、上記のように、サーボ用オフパルスＳＳＰ１やサーボ用オフパルスＳＳＰ２を挿入する時間は、レーザパワー制御、トラッキング制御及びフォーカス制御といった各種サーボの実行に支障をきたさない範囲で最小の時間とすることが好ましく、挿入時間を短くすることで、形成される可視画像にほとんど影響を与えることなく、上記のような各種サーボを行うことができる。
【０２４２】
図１９に戻り、ＰＬＬ回路１７０は、周波数発生器１６４から供給されるスピンドルモータ１０４の回転速度に応じた周波数のＦＧパルス信号を逓倍し、後述する可視画像の形成のために用いられるクロック信号を出力する。周波数発生器１６４は、スピンドルモータ１０４のモータドライバにより得られる逆起電流を利用してスピンドル回転数に応じた周波数のＦＧパルス信号を出力する。
【０２４３】
例えば、図２６Ａに示すように、周波数発生器１６４が、スピンドルモータ１０４が１回転、すなわち、光ディスク１０が１回転している間に、８個のＦＧパルスを生成するものである場合に、図２６Ｂに示すように、ＰＬＬ回路１７０は当該ＦＧパルスを逓倍したクロック信号（例えばＦＧパルス信号の５倍の周波数、光ディスク１０が１回転中にＨレベルのパルスが４０個）を出力する、つまり、スピンドルモータ１０４によって回転させられる光ディスク１０の回転速度に応じた周波数のクロック信号を出力する。このように、ＦＧパルス信号を逓倍したクロック信号がＰＬＬ回路１７０からＦＩＦＯメモリ１７２に出力され、該クロック信号に１周期毎、つまり、ある一定角度分だけ光ディスク１０が回転する毎に１つの座標の階調度を示すデータがＦＩＦＯメモリ１７２から駆動パルス生成部１７４に出力される。なお、上記のようにＰＬＬ回路３３を用いてＦＧパルスを逓倍したクロック信号を生成するようにしてもよいが、スピンドルモータ１０４として、回転駆動能力が十分に安定しているモータを用いた場合には、ＰＬＬ回路１７０に代えて水晶発振器を設け、上記のようなＦＧパルスを逓倍したクロック信号、すなわち光ディスク１０の回転速度に応じた周波数のクロック信号を生成するようにしてもよい。
【０２４４】
ステッピングモータ１６５は、光ピックアップ１０６を当該光ディスク１０にセットされた光ディスク１０の径方向に移動させるためのモータである。モータドライバ１６６は、モータコントローラ１６８から供給されるパルス信号に応じた量だけステッピングモータ１６５を回転駆動する。モータコントローラ１６８は、制御部１０２から指示される光ピックアップ１０６の径方向への移動方向及び移動量を含む移動開始指示に従って、移動量や移動方向に応じたパルス信号を生成し、モータドライバ１６６に出力する。ステッピングモータ１６５が光ピックアップ１０６を光ディスク１０の径方向に移動させること、及び光ディスク１０をスピンドルモータ１０４が光ディスク１０を回転させることにより、光ピックアップ１０６のレーザ光の照射位置を光ディスク１０の様々な位置に移動させることができ、これらの構成要素が照射位置調整手段１０８（図６等参照）を構成しているのである。
【０２４５】
制御部１０２は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等から構成されており、ＲＯＭに格納されたプログラムに従って当該光ディスク記録装置１００の装置各部を制御し、光ディスク１０の情報記録層１８に対する記録処理及び光ディスク１０の画像記録層２４に対する画像形成処理を中枢的に制御するように構成されている。
【０２４６】
Ｂ．光ディスク記録装置１００の動作
次に、本実施の形態に係る光ディスク記録装置１００の動作について説明する。
【０２４７】
上述したように、この光ディスク記録装置１００は、光ディスク１０の情報記録層に対してホストＰＣ１４８から供給された音楽データ等の記録データＤｗを記録することが可能であるとともに、光ディスク１０の画像記録層２４に対してホストＰＣ１４８から供給される画像データＤｐに対応した可視画像を形成することができるように構成されている。
【０２４８】
以下、情報記録及び可視画像形成といった処理を行うことが可能な光ディスク記録装置１００の動作について図２７〜図３５を参照しながら説明する。
【０２４９】
先ず、光ディスク記録装置１００に光ディスク１０がセットされると、制御部１０２は光ピックアップ１０６等を制御し、セットされた光ディスク１０の光ピックアップ１０６と対向する面がどのようなフォーマットの光ディスクであるかを検出する（ステップＳａ１）。例えば、ＤＶＤ−Ｒの場合はランドプリピット信号やプリレコード信号、ＤＶＤ＋Ｒの場合はＡＤＩＰ（Ａｄｄｒｅｓｓ  ｉｎ  Ｐｒｅｇｒｏｏｖｅ）の有無を検出する。これらの情報が記録されていない場合には、光ディスク１０として認識されない。
【０２５０】
ここで、セットされた光ディスク１０から、例えば、ＤＶＤ−Ｒの場合はランドプリピット信号やプリレコード信号、ＤＶＤ＋Ｒの場合はＡＤＩＰが検出された場合には、情報記録層１８が光ピックアップ１０６と対向するように光ディスク１０がセットされていると判断し、制御部１０２は情報記録層１８に対してホストＰＣ１４８から供給される記録データＤｗを記録するための制御を行う（ステップＳａ２）。ここで行われる記録データＤｗを記録するための制御は、従来の光ディスク記録装置（ＤＶＤ−ＲやＤＶＤ＋Ｒ）と同様であるため、その説明を省略する。
【０２５１】
一方、セットされた光ディスク１０の最内周部分にレーザ光を照射して得られる戻り光に基づいて、可視画像の描画可能な光ディスクであることを示すプリピット信号Ｓｐが検出された場合には、画像記録層２４が光ピックアップ１０６と対向するように光ディスク１０がセットされていると判断し、制御部１０２はセットされた光ディスク１０のディスクＩＤを取得することができるか否かを判断する（ステップＳａ３）。なお、光ディスクＤのディスクＩＤは、プリピット信号Ｓｐの中に含めることができる。
【０２５２】
また、例えば図２９に示すように、ディスクＩＤをコード化した情報に対応する可視画像を光ディスク１０の画像記録層２４側の最外周部分の円周に沿って記述しておいてもよい。図２９の例では、最外周部分の円周に沿って上記コード（ディスクＩＤをコード化した情報）に応じた長さの反射領域２０２ａと非反射領域２０２ｂとを形成することにより、ディスクＩＤを光ディスク１０の画像記録層２４に記述している。制御部１０２は、光ディスク１０の最外周の円周に沿って光ピックアップ１０６のレーザ光Ｌの照射位置をトレースすることにより、その反射光からディスクＩＤを取得することができる。
【０２５３】
従って、図２７に示すように、ディスクＩＤを取得できない場合は、当該光ディスク１０は画像記録層２４を有しない一般的な光ディスク（ＣＤ−Ｒ、ＤＶＤ−Ｒ等）であると判別することができる。この場合、制御部１０２は可視画像の形成が不可能な光ディスクであると判断し（ステップＳａ４）、その旨をユーザに通知等するための処理を行う。
【０２５４】
一方、光ディスク１０からディスクＩＤを取得することができた場合には、ホストＰＣ１４８から画像データＤｇを含む画像形成指示があるまで待機する（ステップＳａ５）。そして、ステップＳａ５において、画像形成指示があった場合に、制御部１０２は、光ディスク１０の画像記録層２４に可視画像を形成するための初期化制御を行う（ステップＳａ６）。より具体的には、制御部１０２は、所定の角速度でスピンドルモータ１０４を回転するようにサーボ回路１５２を制御し、光ピックアップ１０６を光ディスク１０の径方向の最内周側の初期位置に移動させるための指示をモータコントローラ１６８に送出し、ステッピングモータ１６５を駆動する。
【０２５５】
また、画像形成のための初期化制御において、制御部１０２は、情報記録層１８に対して情報記録を行う際のビームスポット径よりも大きいビームスポット径のレーザ光Ｌが光ディスク１０の画像記録層２４に照射されるように、フォーカス制御の目標値をサーボ回路１５２に対して指示することもできる。
【０２５６】
レーザ光Ｌのビームスポット径を可変にするフォーカス制御についてより具体的に説明する。
【０２５７】
上述したようにサーボ回路１５２によるフォーカス制御は、光ピックアップ１０６の受光素子１８４から出力される信号に基づいて行われる。光ディスク１０の情報記録層１８に対する情報記録時には、図３０に示す受光素子１８４の４つのエリア１８４ａ、１８４ｂ、１８４ｃ、１８４ｄの中心に円形の戻り光（図１３の円形２０４ａ参照）が受光されるように、サーボ回路１５２がフォーカスアクチュエータ１９６（図２０参照）を駆動する。すなわち、エリア１８４ａ、１８４ｂ、１８４ｃ、１８４ｄの各々の受光量をＦａ、Ｆｂ、Ｆｃ、Ｆｄとした場合に、（Ｆａ＋Ｆｃ）−（Ｆｂ＋Ｆｄ）＝０となるようにフォーカスアクチュエータ１９６を駆動するのである。
【０２５８】
一方、光ディスク１０の画像記録層２４に対して可視画像を形成する場合には、上述したように情報記録層１８に対する情報記録時よりも径の大きいレーザ光Ｌが画像記録層２４に照射されるように、フォーカス制御が行われる。図３０に示す受光素子１８４に受光される戻り光の形状が楕円形状（図３０の楕円２０４ｂ及び２０４ｃ参照）である場合には、そのレーザ光Ｌのスポットサイズは上述した円形２０４ａの場合よりも大きいので、サーボ回路１５２は、このような楕円形状（図３０の楕円２０４ｂ及び２０４ｃ参照）の戻り光が受光素子１８４に受光されるように、フォーカスアクチュエータ１９６を駆動する。すなわち、（Ｆａ＋Ｆｃ）−（Ｆｂ＋Ｆｄ）＝Ｍ（Ｍは０ではない）を満たすように、フォーカスアクチュエータ１９６を駆動する。従って、サーボ回路１５２はビームスポット制御手段１２６（図９参照）を構成することになる。
【０２５９】
上述した可視画像の形成のための初期化制御において制御部１０２がＭ（０ではない）をサーボ回路１５２に指示設定することで、情報記録層１８に対する情報記録時よりも大きいスポット径のレーザ光Ｌを光ディスク１０の画像記録層２４に照射することができる。このように、光ディスク１０の画像記録層２４に対する可視画像を形成するときに、情報記録層１８に対する情報記録時よりも大きいスポット径のレーザ光Ｌを照射することで以下のような効果を得ることができる。
【０２６０】
すなわち、本実施の形態では、可視画像を形成する際にも、情報記録層１８に情報記録を行う際と同様に、光ディスク１０を回転させながらレーザ光Ｌを照射している。従って、レーザ光Ｌのビームスポット径を大きくすることで、より短時間で光ディスク１０の画像記録層２４の全領域に対して可視画像を形成することができる。
【０２６１】
この理由について、図３１Ａ及び図３１Ｂを参照しながら説明する。図３１Ａ及び図３１Ｂに模式的に示すように、照射するレーザ光Ｌのビームスポット径ＢＳが小さい場合（図３１Ａ参照）と大きい場合（図３１Ｂ参照）とを比較すると、光ディスク１０を１回転させたときに、画像形成の対象となる領域の面積がビームスポット径ＢＳが大きい時の方が大きくなる。このため、ビームスポット径ＢＳが小さい場合には全領域を画像形成の対象とするために、より多く光ディスク１０を回転させなければならず（図１６Ａ及び図１６Ｂの例では、大きい場合は４回転、小さい場合は６回転）、画像形成のために多くの時間を要することになる。以上のような理由から、この光ディスク記録装置１００では、可視画像を形成する際に情報記録時よりも大きいスポット径のレーザ光Ｌが照射されるようにしている。
【０２６２】
また、画像形成のための初期化制御において、制御部１０２は、取得したディスクＩＤに応じた記録レベル及びサーボレベルのレーザ光Ｌが光ピックアップ１０６から出射されるように、各々のレベルの目標値をレーザパワー制御回路１６２に指示する。
【０２６３】
すなわち、制御部１０２のＲＯＭには、複数種類のディスクＩＤ毎に、記録レベル及びサーボレベルとして設定すべき目標値が記憶されており、制御部１０２は、取得されたディスクＩＤに対応する記録レベル及びサーボレベルの目標値を読み出し、これらの目標値をレーザパワー制御回路１６２に指示する。
【０２６４】
このように、ディスクＩＤに応じてパワーの目標値を設定するのは、以下の理由に基づく。
【０２６５】
すなわち、光ディスク１０の種類によって、画像記録層２４の色素の特性が異なることが考えられ、色素の特性が異なる場合、どの程度のパワーのレーザ光Ｌを照射すれば反射率が変化するといった光学特性も当然異なることになる。このため、ある光ディスク１０の画像記録層２４に対しては、ある記録レベルのレーザ光Ｌを照射することにより、その照射領域の反射率を十分変化させることができた場合にも、他の光ディスク１０の画像記録層２４に対して同じ記録レベルのレーザ光Ｌを照射させた場合に、その照射領域の反射率を変化させることができるとは限らない。従って、本実施の形態では、上記のように種々のディスクＩＤ毎に対応する光ディスク毎に、予め正確な画像形成が行えるような記録レベル及びサーボレベルの目標値を実験により求めておく。
【０２６６】
そして、求めた目標値を各々のディスクＩＤに対応付けて、すなわち、テーブル化してＲＯＭに格納しておくことにより、上記のような種々の光ディスク１０の画像記録層の特性に応じて最適なパワー制御を行うことができるようにしている。
【０２６７】
上述のような初期化制御が制御部１０２によって行われると、その後、光ディスク１０の画像記録層２４に可視画像を形成するための処理が行われることになる。
【０２６８】
すなわち、図２８に示すように、先ず、制御部１０２は、ホストＰＣ１４８からバッファメモリ１７６を介して供給された画像データＤｇをＦＩＦＯメモリ１７２に転送する（ステップＳａ７）。そして、制御部１０２は、周波数発生器１６４から供給されるＦＧパルス信号から、スピンドルモータ１０４によって回転している光ディスク１０の所定の基準位置が、光ピックアップ１０６のレーザ光Ｌの照射位置を通過したか否かを判断する（ステップＳａ８）。
【０２６９】
ここで、図３２〜図３４を参照しながら所定の基準位置、及びレーザ光Ｌの照射位置がその位置を通過したか否かの検出方法について説明する。
【０２７０】
図３２に示すように、周波数発生器１６４は、スピンドルモータ１０４が１回転する間、つまり、光ディスク１０が１回転する間に所定個（図３２の例では８個）のＦＧパルスを出力する。従って、制御部１０２は、周波数発生器１６４から供給されるＦＧパルスのいずれか１つを基準パルスとし、その立ち上がりタイミングと同期させた基準位置検出用パルスを出力する。その後は、基準位置検出パルスから１回転分の個数目（図３２の例では８個目）のＦＧパルスの立ち上がりタイミングと同期させて基準位置検出用パルスを出力する。このようにして、基準位置検出用パルス信号を生成する。
【０２７１】
このような基準位置検出用パルスを生成することで、当該基準位置検出用パルスが生成された時点が、光ディスク１０の基準位置を光ピックアップ１０６のレーザ光Ｌの照射位置が通過したタイミングであるとして認識させることができる。
【０２７２】
すなわち、図３３に示すように、最初の基準位置検出用パルスを生成したタイミングにおける光ピックアップ１０６のレーザ光Ｌの照射位置が、図３３中、太線（参照符号２０６で示す線：光ピックアップ１０６は径方向に移動可能であるため、照射位置が取り得る位置は線で表される）で示す位置であるとすると、その１回転後に生成される基準位置検出用パルスが生成された時点にも当然光ピックアップ１０６のレーザ光Ｌの照射位置は図３３中、太線で示す位置にある。
【０２７３】
このように、最初に基準位置検出用パルスを生成したタイミングでレーザ光Ｌの照射位置が属する径方向の線が基準位置となり、制御部１０２は、上記のように、光ディスク１０が１回転する毎に生成される基準位置検出用パルスに基づいて、レーザ光Ｌの照射位置が光ディスク１０の基準位置を通過したことを検出することができる。
【０２７４】
なお、図３３中、一点鎖線（参照符号２０８で示す線）は、ある基準位置検出用パルスが生成されてから、次の基準位置検出用パルスが生成されるまでにレーザ光Ｌの照射位置の移動軌跡の一例を示す。
【０２７５】
上述した基準位置検出用パルスに基づき、レーザ光Ｌは光ディスク１０上の略同一の軌跡を複数回照射する。この略同一の軌跡とは光ディスク１０の回転に伴う、略同心円状の軌跡である。なお、このとき、光ピックアップ１０６は光ディスク１０の半径方向に揺動していることが好ましい。揺動することで、レーザ光Ｌの照射面積が増大し、可視情報の記録面積を増大させることができる。また、略同一の軌跡を照射させる際の回転数は要求されるコントラストにより異なるが、例えば、最小時間にて描画を行う場合には７〜８回転である。なお、本実施の形態に係る描画方法としては、特開２００２−２０３３２１号公報に開示されている方法と同様に、レーザ光Ｌが光ディスク１０上の略同一の軌跡を複数回照射し、且つレーザ光Ｌが揺動する方法が好ましい。
【０２７６】
ホストＰＣ１４８から画像形成指示を受けた後、以上のような手法で光ディスク１０の基準位置がレーザ光Ｌの照射位置を通過したことを検出すると、制御部１０２は、回転数を示す変数Ｒに１をインクリメントした後（ステップＳａ９）、Ｒが奇数であるか否かを判別する（ステップＳａ１０）。
【０２７７】
ここで、画像形成指示を受けた後、最初に基準位置を通過したことを検出した際には、Ｒ＝０（初期値）＋１＝１であり、この場合、ステップＳａ１０において、Ｒは奇数であると判別されることになる。このように、Ｒが奇数であると判別した場合、制御部１０２は、光ピックアップ１０６から光ディスク１０の画像記録層２４にレーザ光Ｌを照射して可視画像を形成するための制御を行う（ステップＳａ１１）。より具体的には、制御部１０２は、上記の基準位置検出用パルスを受け取った時点から、ＰＬＬ回路１７０から出力されるクロック信号に同期してＦＩＦＯメモリ１７２から画像データＤｇを順次出力するように、各部を制御する。この制御により、図３４に示すように、ＦＩＦＯメモリ１７２は、ＰＬＬ回路１７０からクロック信号が供給される毎に、１つの座標の階調度を示す情報を駆動パルス生成部１７４に出力する。駆動パルス生成部１７４は当該情報に示される階調度に従ったパルス幅の駆動パルスを生成してレーザドライバ１６０に出力する。この結果、光ピックアップ１０６は、各座標の階調度に応じた時間だけ、記録レベルのレーザ光Ｌを光ディスク１０の画像記録層２４に照射し、その照射領域の反射率が変化することにより、図３５に模式的に示すような可視画像を形成することができる。
【０２７８】
図３５に模式的に示すように、光ディスク１０はスピンドルモータ１０４によって回転させられているため、光ピックアップ１０６のレーザ光Ｌの照射位置はクロック信号の１周期（パルスの立ち上がりタイミングから次のパルスの立ち上がりタイミングまでの期間）中に、図３５中、Ｃで示す領域分だけ円周に沿って移動することになる。この領域Ｃをレーザ光Ｌの照射位置が通過する間に、記録レベルのレーザ光Ｌを照射すべき時間を、階調度に応じて変化させることで、図３５に示すように、領域Ｃ毎に異なる階調度に応じて異なる面積の反射率を変化させることができる。このように、各座標の階調度に応じて各々の領域Ｃを通過するときの記録レベルのレーザ光Ｌの照射時間を制御することにより、画像データＤｇに応じた可視画像を光ディスク１０の画像記録層２４に形成することができる。
【０２７９】
以上のように、画像データＤｇに応じて制御されるレーザ光Ｌの照射によって、可視画像の形成を実行するための制御を実行すると、制御部１０２の処理は、ステップＳａ７に戻り、バッファメモリ１７６から供給された画像データＤｇをＦＩＦＯメモリ１７２に転送する。そして、光ディスク１０の基準位置を光ピックアップ１０６のレーザ光Ｌの照射位置が通過したか否かを検出し、基準位置を通過したことが検出された場合、変数Ｒに１をインクリメントする。この結果、変数Ｒが偶数となった場合には、制御部１０２は上記のようなレーザ光の照射制御による可視画像形成を停止させるように、装置各部を制御する（ステップＳａ１２）。より具体的には、ＦＩＦＯメモリ１７２に対して、ＰＬＬ回路１７０から供給されるクロック信号に同期して各座標の階調度を示す情報を駆動パルス生成部１７４に出力しないよう制御する。つまり、制御部１０２は、光ディスク１０の画像記録層２４に対して記録レベルのレーザ光Ｌを照射して可視画像を形成した後、次に光ディスク１０が１回転している間は画像記録層２４の反射率を変化させるためのレーザ光Ｌの照射を行わないように制御する。
【０２８０】
このように、可視画像形成のためのレーザ光Ｌの照射を停止させると、制御部１０２は、モータコントローラ１６８に対して所定量だけ光ピックアップ１０６を径方向の外周側に移動させるよう指示し（ステップＳａ１３）、該指示に応じてモータコントローラ１６８がモータドライバ１６６を介してステッピングモータ１６５を駆動し、これにより、光ピックアップ１０６が所定量だけ外周側に移動させられる。
【０２８１】
ここで、光ピックアップ１０６を光ディスク１０の径方向に移動させる所定量は、上述したように、光ピックアップ１０６から照射されるビームスポット径ＢＳ（図３１Ａ及び図３１Ｂ参照）に応じて適宜決定すればよい。すなわち、円盤状の光ディスク１０の画像記録層２４に可視画像を形成する際には、光ピックアップ１０６のレーザ光Ｌの照射位置を光ディスク１０の面上ほぼ隙間なく移動させることが、より高品位の画像形成を実現するために必要となる。
【０２８２】
従って、上記のような径方向への光ピックアップ１０６の単位移動量を、光ディスク１０に照射されるレーザ光Ｌのビームスポット径ＢＳとほぼ同じ長さとすれば、光ディスク１０の面上に、ほぼ隙間なくレーザ光Ｌを照射することができ、より高品位な画像形成が可能となる。
【０２８３】
なお、画像記録層２４の性質等の種々の要因によって、照射したビームスポット径ＢＳよりも大きい領域が発色するケースもあり、このようなケースでは、その発色領域の幅を考慮し、隣り合う発色領域が重ならないよう単位移動量を決めるようにすればよい。本実施の形態では、ビームスポット径ＢＳを情報記録層１８への記録時より大きくしているので（例えば、２０μｍ程度）、制御部１０２は、このビームスポット径ＢＳとほぼ同じ長さ分だけ光ピックアップ１０６を径方向に移動させるように、モータコントローラ１６８を制御し、ステッピングモータ１６５を駆動させている。なお、近年のステッピングモータ１６５は、マイクロステップ技術を利用することで、１０μｍ単位でその移動量を制御することが可能であり、上記のようにステッピングモータ１６５を用いて光ピックアップ１０６を２０μｍ単位で径方向に移動させることは十分に実現可能である。
【０２８４】
上記のように、光ピックアップ１０６を径方向に所定量だけ移動させる制御を行うと、制御部１０２は、レーザ光Ｌの記録レベルの目標値を変更し、変更後の目標値をレーザパワー制御回路１６２に対して指示する（ステップＳａ１４）。本実施の形態では、可視画像を形成する際の方式として光ディスク１０を角速度を一定に維持して回転させながらレーザ光Ｌを照射するＣＡＶ方式を採用しており、上記のように光ピックアップ１０６が外周側に移動させられると、線速度が大きくなる。従って、光ピックアップ１０６を径方向（外周側）に移動させた時には、記録レベルの目標値を、径方向に移動する以前の値よりも大きくなるように変更する。これにより、線速度が変化しても光ディスク１０の画像記録層２４の反射率が十分に変化できる強度のレーザパワーを照射することができる。
【０２８５】
以上のように、光ピックアップ１０６の径方向への移動制御及び記録レベルの目標値を変更する制御を実行すると、制御部１０２は可視画像の形成のために未処理の画像データＤｇ、つまり、駆動パルス生成部１７４に供給されていない画像データＤｇがあるか否かを判別し、当該画像データＤｇがない場合には処理を終了する。
【０２８６】
一方、駆動パルス生成部１７４に供給されていない未処理の画像データＤｇがある場合には、ステップＳａ７に戻り、可視画像の形成のための処理を続行する。
【０２８７】
すなわち、制御部１０２からＦＩＦＯメモリ１７２に画像データＤｇを転送し（ステップＳａ７）、レーザ光Ｌの照射位置が光ディスク１０の基準位置を通過したか否かを判別する（ステップＳａ８）。そして、基準位置を通過した際には、回転数を示す変数Ｒに１をインクリメントし（ステップＳａ９）、インクリメント後の変数Ｒが奇数であるか否かを判別する（ステップＳａ１０）。ここで、変数Ｒが奇数である場合には、制御部１０２は上記のような可視画像を形成するためのレーザ光Ｌの照射がなされるように装置各部を制御し、変数Ｒが偶数である場合には、可視画像を形成するためのレーザ光Ｌの照射を停止し（サーボレベルのレーザ光Ｌは照射する）、上記のような光ピックアップ１０６の径方向への移動制御や、記録レベルの目標値の変更といった制御を行う。
【０２８８】
すなわち、制御部１０２は、ある周回中に光ディスク１０に対して画像形成のためのレーザ光Ｌの照射（記録レベルを含む）を行った場合、その次の周回中には画像形成のためのレーザ光Ｌの照射が行われないよう制御し、その周回中に光ピックアップ１０６の径方向への移動制御等を実施するようにしている。
【０２８９】
このように、画像形成を行わない周回中に光ピックアップ１０６を移動させる制御や記録レベル目標値の変更制御等を実施することで、当該制御に伴って照射位置や照射されるレーザ光Ｌのパワー値等が変動している間に可視画像が形成されるということがなく、照射位置やレーザ光Ｌの強度が安定してから画像形成のためのレーザ光Ｌの照射を実行することができる。従って、上記のような光ピックアップ１０６の径方向の移動制御等に起因して形成される可視画像の品位が低下してしまうことを抑制できる。
【０２９０】
本実施の形態に係る光ディスク記録装置１００によれば、新たに印刷手段等を設けることなく、情報記録層１８に対して情報記録を行うために用いられる光ピックアップ１０６等の装置各部を可能な限り利用し、画像記録層２４が形成された光ディスク１０の当該画像記録層２４に対してレーザ光Ｌを照射して画像データＤｇに対応した可視画像を形成することができる。
【０２９１】
また、本実施の形態では、スピンドルモータ１０４の回転に応じて生成されるＦＧパルスを用いて生成したクロック信号、すなわち、光ディスク１０の回転量に応じて生成されるクロック信号に基づいてレーザ光Ｌの照射タイミングを制御しているので、光ディスク１０側から位置情報等を取得することなく、光ディスク記録装置１００においてレーザ光Ｌの照射位置を把握することができる。従って、光ディスク記録装置１００によれば、画像記録層２４にプリグルーブ（案内溝）を形成するといった特別な加工等を施した光ディスク１０を用いなくてはならないといった制限はなく、プリグルーブや位置情報等が予め形成されていない画像記録層２４に対しても、画像データＤｇに対応する可視画像を形成することができる。
【０２９２】
次に、情報記録層１８への情報（デジタル情報）の記録について説明する。情報記録層１８が色素型の場合、先ず、未記録の前述の光ディスク１０を所定の記録線速度にて回転させながら、光ピックアップ１０６からレーザ光Ｌを照射する。この照射されたレーザ光により、情報記録層１８の色素がその光を吸収して局所的に温度上昇し、所望のピットが生成してその光学特性が変わることにより、情報記録層１８に情報が記録される。
【０２９３】
レーザ光Ｌの記録波形は、１つのピットの形成する際には、パルス列でも１パルスでもかまわない。実際に記録しようとする長さ（ピットの長さ）に対する割合が重要である。
【０２９４】
レーザ光Ｌのパルス幅としては、実際に記録しようとする長さに対して２０〜９５％の範囲が好ましく、３０〜９０％の範囲がより好ましく、３５〜８５％の範囲がさらに好ましい。ここで、記録波形がパルス列の場合には、その和が上記の範囲にあることを指す。
【０２９５】
レーザ光Ｌのパワーとしては、記録線速度によって異なるが、記録線速度が３．５ｍ／ｓの場合、１〜１００ｍＷの範囲が好ましく、３〜５０ｍＷの範囲がより好ましく、５〜２０ｍＷの範囲がさらに好ましい。また、記録線速度が２倍になった場合には、レーザ光Ｌのパワーの好ましい範囲は、それぞれ２１／２倍となる。
【０２９６】
また、記録密度を高めるために、光ピックアップ１０６に使用される対物レンズ１９２のＮＡ（開口数）は０．５５以上が好ましく、０．６０以上がより好ましい。
【０２９７】
本実施の形態においては、レーザ光Ｌとして３５０〜８５０ｎｍの範囲の発振波長を有する半導体レーザを用いることができる。
【０２９８】
一方、情報記録層１８が相変化型の場合について説明する。相変化型の場合は、前述した材質から構成され、レーザ光Ｌの照射によって結晶相と非晶相との相変化を繰り返すことができる。
【０２９９】
情報記録時は、集中したレーザ光Ｌのパルスを短時間照射し、相変化記録層を部分的に溶融する。溶融した部分は熱拡散により急冷され、固化し、非晶状態の記録マークが形成される。また、消去時には、記録マーク部分にレーザ光Ｌを照射し、情報記録層１８の融点以下、結晶化温度以上の温度に加熱し、且つ、除冷することによって、非晶状態の記録マークを結晶化し、もとの未記録状態に戻す。
【実施例１】
【０３００】
次に、実施例により本実施の形態をさらに詳細に説明するが、本発明は以下の実施例に限定されるものではない。
【０３０１】
（実施例１）
ポリカーボネート樹脂を原料とし、射出成形にてスパイラル状の案内溝（グルーブ）を有する第１基板１６（厚さ０．６ｍｍ）に作製した。案内溝は、深さ１３０ｎｍ、半値幅３００ｎｍ、トラックピッチ０．７４μｍであった。下記「色素Ａ」１．５０ｇを２，２，３，３−テトラフルオロ−１−プロパノール１００ｍｌに溶解した塗布液を調製し、この塗布液を第１基板１６の案内溝が形成された面にスピンコートすることにより、情報記録層１８（平均厚さ：８０μｍ）を形成した。次に、スパッタリング法により、情報記録層１８上に、銀による第１反射層２０を形成し、第１積層体１２を作製した。
【０３０２】
【化１】
2007095273.tif 000003
【０３０３】
半径２１ｍｍから半径２４ｍｍの領域にプリピット３２を形成するための凹凸（凸部の高さ等は、図３６に記載のプリピット３２の深さ等に相当するように調整）が形成されており、半径２４ｍｍより外側は鏡面であるスタンパを、通常のＣＤ−ＲＯＭスタンパを作製するのとほぼ同様に下記のようにして作製した。
【０３０４】
先ず、ガラス原盤上にフォトレジストをスピンコートで成膜し、ベーキングした。その後、レーザビームレコーダにてフォーマッタから生成した信号に対応させて、半径２４ｍｍより内側の領域にだけフォトレジストにビーム照射し、その後、現像した。この上にニッケルをスパッタし、電鋳することでスタンパを作製した。
【０３０５】
次に、画像記録層２４を形成するため、上記スタンパを用いて射出成形にて０．６ｍｍ厚の第２基板２２を作製した。スタンパの転写により形成されたプリピット３２の平均深さｈｐ等は、図３６の通りである。すなわち、プリピット３２の平均深さｈｐは２００ｎｍ、プリピット３２の半径方向の平均半値幅Ｗは２００ｎｍである。つまり、実施例１は、プリピット３２の平均深さｈｐが好ましい範囲（１００〜４００ｎｍ）に含まれ、プリピットの平均半値幅Ｗも好ましい範囲（２００〜５００ｎｍ）に含まれている。
【０３０６】
下記化学式で表される「色素Ｂ」１．４０ｇと下記化学式で表される「色素Ｃ」０．６０ｇとを２，２，３，３−テトラフルオロ−１−プロパノール１００ｍｌに溶解して調製した塗布液を、第２基板２２にスピンコート法により塗布し、厚さ０．１μｍの画像記録層２４を形成した。
【０３０７】
【化２】
2007095273.tif 000004
【０３０８】
【化３】
2007095273.tif 000005
【０３０９】
画像記録層形成領域３４の最内径（画像記録層の最内半径）等は、図３６の通りである。すなわち、実施例１では、画像記録層形成領域３４の最内径を２５ｍｍとし、例えば図３に示す第１の変形例に係る光ディスク１０ａと同様に、プリピット領域３０を、画像記録層形成領域３４よりも内周側にしたので、画像記録層２４の平均厚みｈ１及びｈ２は共に０ｎｍとなっている。
【０３１０】
その後、スパッタリング法により、画像記録層２４上に、銀による第２反射層２６を８０ｎｍの厚みで形成し、第２積層体１４を作製した。
【０３１１】
第１積層体１２の第１反射層２０上に、第１積層体１２及び第２積層体１４を貼り合わせるための接着層２８として、紫外線硬化樹脂ダイキュアクリアＳＤ６４０（大日本インキ化学工業株式会社製）を塗布し、第２積層体１４の第２反射層２６側を第１積層体１２の接着層２８が塗布された側とを貼り合わせた後、第２積層体１４側から押し付けて、紫外線硬化樹脂を広げ、高速回転させて、余分な接着層２８を遠心力で振り切り、内周から外周まで均一な膜厚の接着層２８を形成した。この接着層２８を硬化させるために、第２積層体１４を通して、紫外線を照射し、接着層２８を硬化させた。このときに使用した紫外線ランプは高圧水銀ランプで、紫外線照射量は０．３Ｊ／ｃｍ2であった。このようにして、実施例１に係る光ディスクを作製した。
【０３１２】
（実施例２及び３）
プリピット３２の平均深さｈｐを図３６のように変更した以外は、実施例１と同様にして実施例２及び３に係る光ディスクを作製した。
【０３１３】
（実施例４〜１４）
画像記録層形成領域３４の最内径、プリピット３２の平均深さｈｐ、プリピットの半径方向の半値幅Ｗ等を図３６及び図３７のように変更した以外は、実施例１と同様にして実施例４〜１４に係る光ディスクを作製した。
【０３１４】
特に、実施例４〜１４では、図３６及び図３７に示すように、画像記録層形成領域３４の最内径を２０ｍｍとし、例えば図１に示す光ディスク１０と同様に、プリピット領域３０と画像記録層形成領域３４とが一部重なるようにしている。
【０３１５】
そして、実施例４では、プリピット３２の平均深さｈｐが２００ｎｍ、プリピット３２の半径方向の平均半値幅Ｗが２００ｎｍであり、いずれも好ましい範囲に含まれている。また、画像記録層２４の平均厚みｈ１が４０ｎｍ、平均厚みｈ２が１６０ｎｍとなっている。これにより、実施例２のｈ１／ｈ２は０．２５、ｈｐ＋ｈ１−ｈ２は８０ｎｍであって、いずれも好ましい範囲（０．１≦ｈｐ≦０．９、７０ｎｍ≦ｈｐ＋ｈ１−ｈ２≦２５０ｎｍ）に含まれている。
【０３１６】
その他の実施例３〜１４についても同様に、図３６及び図３７に示すように、プリピット３２の平均深さｈｐ、プリピットの平均半値幅Ｗ、画像記録層の厚みに関するｈ１／ｈ２、ｈｐ＋ｈ１−ｈ２が、いずれも好ましい範囲に含まれている。
【０３１７】
（比較例１〜４）
画像記録層形成領域３４の最内径、プリピット３２の平均深さｈｐ、プリピットの半径方向の半値幅Ｗ等を図３８のように変更した以外は、実施例１と同様にして比較例１〜４に係る光ディスクを作製した。
【０３１８】
比較例１〜４においても、上述した実施例４等と同様に、画像記録層形成領域３４の最内径を２０ｍｍとし、例えば図１に示す光ディスク１０と同様に、プリピット領域３０と画像記録層形成領域３４とが一部重なるようにしている。
【０３１９】
そして、比較例１は、プリピット３２の平均深さｈｐが２００ｎｍであって好ましい範囲に含まれているが、プリピット３２の半径方向の平均半値幅Ｗが１９０ｎｍであり、好ましい範囲（２００〜５００ｎｍ）から外れている。また、画像記録層２４の平均厚みｈ１が４０ｎｍ、平均厚みｈ２が１８０ｎｍとなっている。これにより、比較例１のｈ１／ｈ２は０．２２で好ましい範囲に含まれているが、ｈｐ＋ｈ１−ｈ２は６０ｎｍであり、好ましい範囲（７０〜２５０ｎｍ）から外れている。
【０３２０】
比較例２は、プリピット３２の平均深さｈｐが１００ｎｍ、プリピット３２の半径方向の平均半値幅Ｗが４２０ｎｍであり、いずれも好ましい範囲に含まれているが、ｈｐ＋ｈ１−ｈ２が６０ｎｍであり、好ましい範囲（７０〜２５０ｎｍ）から外れている。
【０３２１】
比較例３は、プリピット３２の半径方向の平均半値幅Ｗが４３０ｎｍであって好ましい範囲に含まれているが、プリピット３２の平均深さｈｐが４１０ｎｍであり、好ましい範囲（１００〜４００ｎｍ）から外れている。また、ｈ１／ｈ２は０．２５で好ましい範囲に含まれているが、ｈｐ＋ｈ１−ｈ２が２６０ｎｍであり、好ましい範囲（７０〜２５０ｎｍ）から外れている。
【０３２２】
比較例４は、プリピット３２の平均深さｈｐが２８０ｎｍであって好ましい範囲に含まれているが、プリピット３２の半径方向の平均半値幅Ｗが５１０ｎｍであり、好ましい範囲（２００〜５００ｎｍ）から外れている。また、ｈ１／ｈ２が０．９２で、ｈｐ＋ｈ１−ｈ２が２７０ｎｍであり、共に好ましい範囲から外れている。
【０３２３】
なお、プリピット３２の深さ及び半径方向の半値幅は、第２基板２２の表面をＡＦＭで測定することで求めた。図２中のｈ１、ｈ２は、画像記録層２４の平均厚みを透過スペクトル及びエリプソメータから求め、さらに、第２基板２２のプリピット３２の深さと画像記録層２４形成後の表面をＡＦＭで測定した値から求めた。測定は、３回行い最も大きな値と小さな値とをそれぞれ測定し、その平均として求めた。なお、プリピットの形状は、ＡＦＭ装置ＳＰＩ３８００Ｎ／ＳＰＡ５００（セイコーインスツル株式会社製）及び探針ＮＣＨ−１０Ｖ（日本ビーコ株式会社製）を用いて測定した。
【０３２４】
＜光ディスクの評価＞
実施例１〜１４、比較例１〜４に係る光ディスクについて、パルステック工業社製ＤＤＵ１０００を用いてレーザ波長６６０ｎｍで再生し、プリピット信号Ｓｐの品質を評価した。具体的には、ディスクドライブ装置（ＤＤＵ１０００、パルステック社製、レーザ波長＝６６０ｎｍ、開口率＝０．６５）を用いた。結果を図３６〜図３８に示す。
【０３２５】
図３６及び図３７の結果から、実施例１〜１４に係る光ディスクは、ジッターがいずれも６０ｎｓ以下で良好な結果を得られており、描画に関する情報の検出を容易に行うことができることが確認できた。
【０３２６】
特に、実施例１〜３は、プリピット領域３０が画像記録層形成領域３４よりも内周側にあるため、ジッターがいずれも４０ｎｓ以下であって非常に優れており、良好な信号特性が得られることがわかる。
【０３２７】
また、プリピット３２上に画像記録層２４が形成されている場合には、プリピット３２の平均深さｈｐが、１５０〜３５０ｎｍの範囲、プリピット３２の平均半値幅が３９０〜４４０ｎｍ、ｈｐ−ｈ１＋ｈ２が１３０〜１７０ｎｍにて、プリピット３２の再生信号品質の指標である３Ｔピットジッター、３Ｔランドジッター、１１Ｔピットジッター、１１Ｔランドジッターが特に良好であることが確認できた。
【０３２８】
なお、ジッターは、信号ばらつきの標準偏差であり、これが大きい場合、例えば３Ｔ信号が４Ｔと検出されてしまい、読み取りエラーとなる。この読み取りエラーの発生頻度が低い場合は、エラー訂正可能であり、プリピット３２に含まれている情報を読み出すことに支障はないが、エラーの発生頻度が大きくなると、プリピット３２に含まれている情報を正確に読み出すことができなくなり、光ディスク１０の認識に失敗する等の問題が発生する。図３８に示すように、比較例１、２、４は、エラーの発生が頻繁で、ジッターの測定ができなかった。比較例３は、ジッターの測定はできたが、６０ｎｓを超えた値であり、エラーの発生が多いことには変わりがない。
【０３２９】
なお、本発明に係る信号処理方法、信号処理装置、画像描画方法及び光ディスク記録装置は、上述の実施の形態に限らず、本発明の要旨を逸脱することなく、種々の構成を採り得ることはもちろんである。
【図面の簡単な説明】
【０３３０】
【図１】本実施の形態に係る光ディスク記録装置に適用される光ディスクの一例を一部省略して示す断面図である。
【図２】光ディスクにおけるプリピット領域の部分を拡大して示す断面図である。
【図３】第１の変形例に係る光ディスクを示す平面図である。
【図４】第２の変形例に係る光ディスクを示す平面図である。
【図５】第２の変形例に係る光ディスクを一部省略して示す断面図である。
【図６】本実施の形態に係る光ディスク記録装置の構成を示すブロック図である。
【図７】第１プリピット検出手段の一例を示すブロック図である。
【図８】第２プリピット検出手段の他の例を示すブロック図である。
【図９】本実施の形態に係る光ディスク記録装置の好ましい態様（ビームスポット制御手段を有する構成）を示すブロック図である。
【図１０】本実施の形態に係る光ディスク記録装置の好ましい態様（レーザ光強度設定手段及びレーザ光強度制御手段を有する構成）を示すブロック図である。
【図１１】本実施の形態に係る光ディスク記録装置の好ましい態様（相対位置調整手段を有する構成）を示すブロック図である。
【図１２】本実施の形態に係る光ディスク記録装置の好ましい態様（サーボ制御手段を有する構成）を示すブロック図である。
【図１３】本実施の形態に係る光ディスク記録装置の好ましい態様（回転検出手段を有する構成）を示すブロック図である。
【図１４】本実施の形態に係る光ディスク記録装置の好ましい態様（ディスク識別手段を有する構成）を示すブロック図である。
【図１５】本実施の形態に係る光ディスク記録装置の好ましい態様（変調禁止手段を有する構成）を示すブロック図である。
【図１６】本実施の形態に係る光ディスク記録装置の好ましい態様（レーザ光強度設定手段を有する構成）を示すブロック図である。
【図１７】第３の変形例に係る光ディスクを一部省略して示す断面図である。
【図１８】本実施の形態に係る光ディスク記録装置の好ましい態様（照射タイミング制御手段を有する構成）を示すブロック図である。
【図１９】本実施の形態に係る光ディスク記録装置の具体的構成の一例を示すブロック図である。
【図２０】光ピックアップの具体的構成の一例を示す構成図である。
【図２１】光ディスクの画像記録層に対して可視画像を形成するために用いられる画像データの内容を説明するための図である。
【図２２】図２２Ａは階調度が大きい場合の記録レベルとサーボレベルの出力タイミングを示す波形図であり、図２２Ｂは階調度が小さい場合の記録レベルとサーボレベルの出力タイミングを示す波形図である。
【図２３】図２３Ａはサーボ用オフパルスを挿入する場合のタイミングを示す波形図であり、図２３Ｂはサーボ用オンパルスを挿入する場合のタイミングを示す波形図である。
【図２４】レーザパワー制御回路によるレーザパワーの制御方式を示すブロック図である。
【図２５】光ピックアップから光ディスクの画像記録層に照射したレーザ光の戻り光を示す波形図である。
【図２６】図２６Ａは周波数発生器によってスピンドルモータの回転量に応じて生成されるＦＧパルスを示す波形図であり、図２６ＢはＦＧパルスに基づいて生成されるクロック信号を示す波形図である。
【図２７】本実施の形態に係る光ディスク記録装置の処理動作を示すフローチャート（その１）である。
【図２８】本実施の形態に係る光ディスク記録装置の処理動作を示すフローチャート（その２）である。
【図２９】光ディスクの画像記録層の外周側に記録されたディスクＩＤの一例を示す説明図である。
【図３０】光ピックアップの受光素子によって受光されるレーザ光の戻り光の形状を示す説明図である。
【図３１】図３１Ａは光ピックアップから出射されるレーザ光のスポット径が大きい場合の描画状態の一例を示す説明図であり、図３１Ｂはスポット径が小さい場合の描画状態の一例を示す説明図である。
【図３２】ＦＧパルスから選定された基準パルスに基づいて基準位置検出用パルスを生成する方法の一例を示す説明図である。
【図３３】基準位置検出用パルスに基づいて、レーザ光の照射位置が光ディスクの基準位置を通過したことを検出する方法の一例を示す説明図である。
【図３４】光ディスクの画像記録層にレーザ光を照射して可視画像を形成する際におけるＦＧパルス、基準位置検出用パルス、クロック信号及び駆動パルスの出力タイミングを示すタイミングチャートである。
【図３５】光ディスクの画像記録層に対し、階調度に応じてレーザ光の照射面積を変化させて可視画像を記録する例を示す説明図である。
【図３６】実施例１〜７に係る光ディスクの内訳とプリピット情報の検出精度を示す表図である。
【図３７】実施例８〜１４に係る光ディスクの内訳とプリピット情報の検出精度を示す表図である。
【図３８】比較例１〜４に係る光ディスクの内訳とプリピット情報の検出精度を示す表図である。
【符号の説明】
【０３３１】
１０、１０ａ〜１０ｃ…光ディスク        １２…第１積層体
１４…第２積層体                        １６…第１基板
１８…情報記録層                        ２０…第１反射層
２２…第２基板                          ２４…画像記録層
２６…第２反射層                        ２８…接着層
３０…プリピット領域                    ３２…プリピット
３４…画像記録層形成領域                １００…光ディスク記録装置
１０２…制御部                          １０４…スピンドルモータ
１０６…光ピックアップ                  １０８…照射位置調整手段
１１０…プリピット検出手段              １１２…デコーダ
１１４…レーザ光制御手段                １１６…画像形成制御手段
１１８…信号反転回路                    １２０…セレクタ
１２２…コード検出回路                  １２４…スイッチング制御回路
１２６…ビームスポット制御手段          １２８…レーザ光強度設定手段
１３０…レーザ光強度制御手段            １３２…相対位置調整手段
１３４…サーボ制御手段                  １３６…クロック信号出力手段
１３８…回転検出手段                    １４０…ディスク識別手段
１４２…変調禁止手段                    １４４…半透明反射層
１４６…照射タイミング制御手段
【図１】
2007095273.tif 000006
【図２】
2007095273.tif 000007
【図３】
2007095273.tif 000008
【図４】
2007095273.tif 000009
【図５】
2007095273.tif 000010
【図６】
2007095273.tif 000011
【図７】
2007095273.tif 000012
【図８】
2007095273.tif 000013
【図９】
2007095273.tif 000014
【図１０】
2007095273.tif 000015
【図１１】
2007095273.tif 000016
【図１２】
2007095273.tif 000017
【図１３】
2007095273.tif 000018
【図１４】
2007095273.tif 000019
【図１５】
2007095273.tif 000020
【図１６】
2007095273.tif 000021
【図１７】
2007095273.tif 000022
【図１８】
2007095273.tif 000023
【図１９】
2007095273.tif 000024
【図２０】
2007095273.tif 000025
【図２１】
2007095273.tif 000026
【図２２】
2007095273.tif 000027
【図２３】
2007095273.tif 000028
【図２４】
2007095273.tif 000029
【図２５】
2007095273.tif 000030
【図２６】
2007095273.tif 000031
【図２７】
2007095273.tif 000032
【図２８】
2007095273.tif 000033
【図２９】
2007095273.tif 000034
【図３０】
2007095273.tif 000035
【図３１】
2007095273.tif 000036
【図３２】
2007095273.tif 000037
【図３３】
2007095273.tif 000038
【図３４】
2007095273.tif 000039
【図３５】
2007095273.tif 000040
【図３６】
2007095273.tif 000041
【図３７】
2007095273.tif 000042
【図３８】
2007095273.tif 000043